(57)【要約】【課題】従来技術においては、例えば、カゴ毎、階床毎に不停止階が切り替え可能である場合であっても円滑に運行が行われることが望まれる。【解決手段】実施形態のエレベータ群管理制御装置は、カゴ呼び不停止階を切り替える制御と、カゴ呼び不停止階が設定されたカゴのカゴ呼び登録装置の機能を、通常カゴ呼び登録機能から乗継ぎ呼び登録機能に切り替える制御と、カゴ呼び登録装置の機能が乗継ぎ呼び登録機能である際に当該乗継ぎ呼び登録機能が作動中である旨を案内する制御と、乗継ぎ呼びがなされた際に、当該乗継ぎ呼びがなされた乗継ぎ元のカゴに対して、同着、又は、遅れて到着可能である乗継ぎ先のカゴ及び乗継ぎ階の組み合わせを選定し、乗継ぎ元のカゴを当該乗継ぎ階へ向かわせ、当該乗継ぎ先のカゴを当該乗継ぎ階へ呼び寄せる制御とを実行可能である。【選択図】図１
2014172695.tif 000002
【特許請求の範囲】
【請求項１】
エレベータ群の複数のカゴの状態に応じて、当該複数のカゴから、前記エレベータ群の乗場からの乗場呼びに応答するカゴを割り当てる制御を実行するエレベータ群管理制御装置であって、
カゴ毎、階床毎に、停止不能なカゴ呼び不停止階を切り替える制御と、
前記カゴ呼び不停止階が設定されたカゴのカゴ呼び登録装置の機能を、全ての階床をそれぞれ目的階とするカゴ呼びを登録可能とする通常カゴ呼び登録機能から、前記カゴ呼び不停止階を目的階とし当該カゴ呼び不停止階が設定された乗継ぎ元のカゴを乗継ぎ階へ向かわせると共に当該カゴ呼び不停止階に停止可能な乗継ぎ先のカゴを前記乗継ぎ階へ呼び寄せる乗継ぎ呼びを登録可能とする乗継ぎ呼び登録機能に切り替える制御と、
前記カゴ呼び登録装置の機能が前記乗継ぎ呼び登録機能である際に当該乗継ぎ呼び登録機能が作動中である旨を案内する制御と、
前記乗継ぎ呼びがなされた際に、当該乗継ぎ呼びがなされた前記乗継ぎ元のカゴに対して、同着、又は、遅れて到着可能である前記乗継ぎ先のカゴ及び前記乗継ぎ階の組み合わせを選定し、前記乗継ぎ元のカゴを当該乗継ぎ階へ向かわせ、当該乗継ぎ先のカゴを当該乗継ぎ階へ呼び寄せる制御とを実行可能であることを特徴とする、
エレベータ群管理制御装置。
【請求項２】
前記乗継ぎ先のカゴ及び前記乗継ぎ階の組み合わせを選定した後に、前記乗継ぎ元のカゴ、又は、前記乗継ぎ先のカゴにおいて新規の乗場呼びに対する応答が割り当てられた場合、あるいは、前記乗継ぎ元のカゴ、又は、前記乗継ぎ先のカゴにおいて新規のカゴ呼びが登緑された場合に、当該乗継ぎ階は変更せず新たな乗継ぎ先のカゴを再選定する制御を実行可能である、
請求項１に記載のエレベータ群管理制御装置。
【請求項３】
前記乗継ぎ元のカゴにおいて、前記選定された前記乗継ぎ先のカゴ及び前記乗継ぎ階を案内する制御を実行可能である、
請求項１又は請求項２に記載のエレベータ群管理制御装置。
【請求項４】
前記乗継ぎ先のカゴへ前記乗継ぎ階への停止が割り当てられた際に、当該乗継ぎ階の乗場の乗場呼び登録装置において当該乗継ぎ階から当該乗継ぎ先のカゴが目的階へ向かう方向の乗場呼びを自動登緑する制御を実行可能である、
請求項１乃至請求項３のいずれか１項に記載のエレベータ群管理制御装置。
【請求項５】
前記乗継ぎ先のカゴが前記乗継ぎ階に到着した際に、当該乗継ぎ先のカゴにおいて前記カゴ呼び不停止階である目的階のカゴ呼びを自動登録する制御を実行可能である、
請求項１乃至請求項４のいずれか１項に記載のエレベータ群管理制御装置。
【請求項６】
前記乗継ぎ元のカゴが前記乗継ぎ階で戸開開始するよりも先に、前記乗継ぎ先のカゴが当該乗継ぎ階で戸閉開始した際に、前記乗継ぎ先のカゴ内に乗客がいる場合には、前記乗継ぎ先のカゴを出発させた後、当該乗継ぎ階は変更せず新たな乗継ぎ先のカゴを再選定する制御を実行可能であり、前記乗継ぎ先のカゴ内に乗客がいない場合には、当該乗継ぎ階で当該乗継ぎ先のカゴを戸開待機させる制御を実行可能である、
請求項１乃至請求項５のいずれか１項に記載のエレベータ群管理制御装置。
【請求項７】
前記乗継ぎ元のカゴが前記乗継ぎ階へ到着する前の停止階床で全戸閉した際に、当該乗継ぎ元のカゴ内に乗客がいない場合、又は、前記乗継ぎ呼びがキャンセルされた場合に、前記乗継ぎ先のカゴに既に割り当てられていた当該乗継ぎ階への停止割り当てを消去する制御を実行可能である、
請求項１乃至請求項６のいずれか１項に記載のエレベータ群管理制御装置。
【請求項８】
前記乗継ぎ呼びがなされた際に、前記カゴ呼び不停止階に停止可能なカゴの混雑度に基づいて前記乗継ぎ先のカゴを選定する制御を実行可能である、
請求項１乃至請求項７のいずれか１項に記載のエレベータ群管理制御装置。
【発明の詳細な説明】
【技術分野】
【０００１】
本発明の実施形態は、エレベータ群管理制御装置に関する。
【背景技術】
【０００２】
従来、エレベータの制御装置として、例えば、エレベータ群の複数のカゴの状態に応じて、当該複数のカゴから、乗場からの乗場呼びに応答するカゴを割り当てる群管理制御を実行するエレベータ群管理制御装置が知られている。このようなエレベータ群管理制御装置は、カゴが停止不能な不停止階が設定される場合がある。
【先行技術文献】
【特許文献】
【０００３】
【特許文献１】特開２００６−１４３４５６号公報
【発明の概要】
【発明が解決しようとする課題】
【０００４】
ところで、従来技術においては、例えば、カゴ毎、階床毎に不停止階が切り替え可能である場合であっても円滑に運行が行われることが望まれる。
【課題を解決するための手段】
【０００５】
実施形態のエレベータ群管理制御装置は、エレベータ群の複数のカゴの状態に応じて、当該複数のカゴから、前記エレベータ群の乗場からの乗場呼びに応答するカゴを割り当てる制御を実行する。エレベータ群管理制御装置は、カゴ毎、階床毎に、停止不能なカゴ呼び不停止階を切り替える制御を実行可能である。エレベータ群管理制御装置は、前記カゴ呼び不停止階が設定されたカゴのカゴ呼び登録装置の機能を、通常カゴ呼び登録機能から乗継ぎ呼び登録機能に切り替える制御を実行可能である。通常カゴ呼び登録機能は、全ての階床をそれぞれ目的階とするカゴ呼びを登録可能とする。乗継ぎ呼び登録機能は、前記カゴ呼び不停止階を目的階とし当該カゴ呼び不停止階が設定された乗継ぎ元のカゴを乗継ぎ階へ向かわせると共に当該カゴ呼び不停止階に停止可能な乗継ぎ先のカゴを前記乗継ぎ階へ呼び寄せる乗継ぎ呼びを登録可能とする。エレベータ群管理制御装置は、前記カゴ呼び登録装置の機能が前記乗継ぎ呼び登録機能である際に当該乗継ぎ呼び登録機能が作動中である旨を案内する制御を実行可能である。エレベータ群管理制御装置は、前記乗継ぎ呼びがなされた際に、当該乗継ぎ呼びがなされた前記乗継ぎ元のカゴに対して、同着、又は、遅れて到着可能である前記乗継ぎ先のカゴ及び前記乗継ぎ階の組み合わせを選定する制御を実行可能である。エレベータ群管理制御装置は、前記乗継ぎ元のカゴを当該乗継ぎ階へ向かわせ、当該乗継ぎ先のカゴを当該乗継ぎ階へ呼び寄せる制御を実行可能である。
【図面の簡単な説明】
【０００６】
【図１】図１は、実施形態１に係る群管理制御装置の概略構成を示すブロック図である。
【図２】図２は、実施形態１に係る群管理制御装置が適用されるエレベータ群を表す模式図である。
【図３】図３は、実施形態１に係る群管理制御装置における登録機能切替制御の一例を説明するフローチャートである。
【図４】図４は、実施形態１に係る群管理制御装置における乗継ぎ運転制御の一例を説明するフローチャートである。
【図５】図５は、実施形態２に係る群管理制御装置の概略構成を示すブロック図である。
【図６】図６は、実施形態２に係る群管理制御装置が適用されるエレベータ群を表す模式図である。
【図７】図７は、実施形態２に係る群管理制御装置における乗継ぎ運転制御の一例を説明するフローチャートである。
【図８】図８は、実施形態３に係る群管理制御装置の概略構成を示すブロック図である。
【図９】図９は、実施形態３に係る群管理制御装置が適用されるエレベータ群を表す模式図である。
【図１０】図１０は、実施形態３に係る群管理制御装置における乗継ぎ運転制御の一例を説明するフローチャートである。
【図１１】図１１は、実施形態４に係る群管理制御装置の概略構成を示すブロック図である。
【図１２】図１２は、実施形態４に係る群管理制御装置が適用されるエレベータ群を表す模式図である。
【図１３】図１３は、実施形態４に係る群管理制御装置における低混雑度エレベータ選出処理の一例を説明するフローチャートである。
【図１４】図１４は、実施形態４に係る群管理制御装置における乗継ぎ運転制御の一例を説明するフローチャートである。
【発明を実施するための形態】
【０００７】
［実施形態１］
図１は、実施形態１に係る群管理制御装置の概略構成を示すブロック図である。図２は、実施形態１に係る群管理制御装置が適用されるエレベータ群を表す模式図である。図３は、実施形態１に係る群管理制御装置における登録機能切替制御の一例を説明するフローチャートである。図４は、実施形態１に係る群管理制御装置における乗継ぎ運転制御の一例を説明するフローチャートである。
【０００８】
図１に示すように、本実施形態のエレベータ群管理制御装置としての群管理制御装置１は、エレベータ群（エレベータシステム）２を群管理し効率的な運行サービスを行うものである。群管理制御装置１は、複数台のエレベータ３によって、複数の階床に対してサービス可能とするものである。本実施形態の群管理制御装置１は、典型的には、号機毎、階床毎にカゴ呼び不停止が適用されるエレベータ群２の群管理を行う。群管理制御装置１は、典型的には、エレベータ群２の複数のカゴ４の状態に応じて、当該複数のカゴ４から、エレベータ群２の乗場５からの乗場呼びに応答するカゴ４を割り当てる制御を実行する。群管理制御装置１は、例えば、エレベータ群２の複数のカゴ４のなかでの輸送効率上、上記乗場呼びを登録した階床へ応答するのに最適なカゴ４を１台選定し、その最適号機に乗場呼びのあった階床への停止を割り当てる。
【０００９】
ここでは、エレベータ群２は、Ａ号機からＣ号機までの複数のエレベータ３からなり、複数のカゴ４がそれぞれ昇降路を昇降することで複数の階床（図２では１Ｆ〜８Ｆ）に対して運行サービスを行う。なお、以下の説明では、エレベータ群２は、Ａ号機からＣ号機の３つのエレベータ３を備えるものとして説明するが、これに限らず、４つ以上を備えるものであってもよい。また、運行サービスの対象階床も１Ｆ〜８Ｆに限られない。また、以下の説明では、Ａ号機からＣ号機の３つのエレベータ３は、特に断りのない限り、単にエレベータ３として説明する。
【００１０】
各エレベータ３は、それぞれ、乗客を乗せるカゴ４、乗客が乗降する乗場５、乗場呼び登録装置６等を含んで構成される。エレベータ３は、群管理制御装置１の単体制御部７によって各部の駆動が制御されてカゴ４が昇降路内を昇降することで、任意の目的階に移動することができる。各単体制御部７は、群管理制御装置１の一部を構成している。
【００１１】
カゴ４は、メインロープが接続され、建造物の鉛直方向に沿って設けられる昇降路内に配置され、この昇降路を昇降可能なものである。カゴ４は、当該カゴ４に対応して設けられる巻上機のシーブに巻き掛けられたメインロープを介してカウンタウェイトと連結されており、巻上機の駆動によるシーブの回転に伴い、カウンタウェイトとともに互いに上下反対方向に昇降する。各カゴ４は、カゴ呼び登録装置４ａ、スピーカ４ｂ、表示モニタ４ｃ等を含んで構成される。カゴ呼び登録装置４ａは、各カゴ４内にそれぞれ設けられる。カゴ呼び登録装置４ａは、利用者が目的階を登録するためのものである。カゴ呼び登録装置４ａは、典型的には、利用者の操作に応じてカゴ呼びを登録可能とする。カゴ呼び登録装置４ａは、目的階を表す複数の押しボタン、あるいは、これらを表示するタッチパネル等を含んで構成される。スピーカ４ｂ、及び、表示モニタ４ｃは、利用者に対してエレベータ３の運行に関する種々の情報を案内するための案内装置である。スピーカ４ｂは、音声情報を出力する。表示モニタ４ｃは、画像情報を出力する。
【００１２】
乗場５は、カゴ４が着床可能な各エレベータ停止階床に設けられる。
【００１３】
乗場呼び登録装置６は、例えば、カゴ４が着床可能な各エレベータ停止階床の各乗場５の扉８の近傍にそれぞれ設けられる。乗場呼び登録装置６は、利用者がカゴ４を呼ぶためのものである。乗場呼び登録装置６は、典型的には、利用者による操作に応じて乗場呼びを登録可能とする。乗場呼び登録装置６は、上方向や下方向を表す複数の押しボタン、あるいは、これらを表示するタッチパネル等を含んで構成される。
【００１４】
そして、本実施形態の群管理制御装置１は、通常の形式の双方向コモン・バスにより相互に連結されたＣＰＵ（中央演算処理装置）、ＲＯＭ、ＲＡＭ、バックアップＲＡＭ及び入出力ポート装置を有するマイクロコンピュータ及び駆動回路を備えている。ＲＯＭ（Ｒｅａｄ  Ｏｎｌｙ  Ｍｅｍｏｒｙ）は、所定の制御プログラム等を予め記憶している。ＲＡＭ（Ｒａｎｄｏｍ  Ａｃｃｅｓｓ  Ｍｅｍｏｒｙ）は、ＣＰＵの演算結果を一時記憶する。バックアップＲＡＭは、予め用意されたマップデータ、エレベータ３の仕様等の情報を記憶する。
【００１５】
群管理制御装置１は、各々のエレベータ３の動作を個別に制御する単体制御部７、エレベータ群２の群管理制御を行う群管理制御部９、カゴ呼び不停止切替装置１０等を含んで構成される。単体制御部７は、各エレベータ３の種々のセンサ、検出器や巻上機、カゴ４のカゴ呼び登録装置４ａ、スピーカ４ｂ、表示モニタ４ｃ、乗場呼び登録装置６等のエレベータ３の各部と電気的に接続され、エレベータ３単体の各部の動作を統括的に制御する。単体制御部７は、例えば、カゴ呼び登録装置４ａ、乗場呼び登録装置６への利用者からの操作入力に応じて、巻上機の駆動を制御し、カゴ４を呼び登録に応じた指定の目的階に移動させる。群管理制御部９は、複数のエレベータ３の各単体制御部７と相互に検出信号や駆動信号、制御指令等の情報の通信、授受を行い、エレベータ群２を群管理する。カゴ呼び不停止切替装置１０は、係員等の操作に応じてエレベータ３毎、階床毎にカゴ呼び不停止信号の入/切の切り替えを可能とする。
【００１６】
上記のように構成される各エレベータ３は、利用者によりカゴ４のカゴ呼び登録装置４ａ、乗場呼び登録装置６等を介してカゴ４の呼び操作が行われた場合に、下記のように動作する。すなわち、各エレベータ３は、カゴ呼び登録装置４ａ、乗場呼び登録装置６から単体制御部７にこれに応じたカゴ呼び登録信号、乗場呼び登録信号が入力される。そして、各エレベータ３は、単体制御部７がこの呼び登録信号に応じてカゴ４のカゴ呼び登録、乗場呼び登録を行う。群管理制御部９は、例えば、各エレベータ３の複数のカゴ４から、各カゴ４の状態に応じて乗場５からの乗場呼び登録に応答する最適なカゴ４を割り当てる群管理制御を実行する。群管理制御部９は、各エレベータ３、各カゴ４の状態に基づいて、発生した呼びに対して所定の評価演算を行う。群管理制御部９は、例えば、カゴ呼び登録信号、乗場呼び登録信号、種々のセンサ、検出器からの出力、カゴ４の現在位置及び移動方向（昇降方向）、これから発生すると予測される乗場呼び、カゴ呼び、予測される行先階等に基づいて、上記評価演算を行う。そして、群管理制御部９は、この所定の評価演算に応じて、輸送効率上、各カゴ４が合理的に移動しながらそれぞれの呼びに最適に応答するように、カゴ４の着床順序等を定めて各呼びに応答するカゴ４を割り当てて、応答カゴ４を決定する割当処理を行う。そして、群管理制御部９は、複数のカゴ４の運行を効率的に割り振り、エレベータ群２全体として効率的な運行サービスを行う。単体制御部７は、このカゴ呼び登録信号、乗場呼び登録信号、種々のセンサ、検出器からの出力、カゴ４の現在の移動方向（昇降方向）等に基づいた群管理制御部９からの割り当てに応じて、巻上機を駆動制御し、カゴ４を目的の階床へと移動させる。これにより、各エレベータ３は、カゴ４が昇降路内を鉛直方向上下に昇降移動し、任意の目的階の乗場５に移動する。そして、各エレベータ３は、カゴ４が目的階の乗場５に着床し、所定の着床位置に着床したことが検出されると、その後、単体制御部７が扉８を開放する。これにより、乗場５で待機している利用者は、カゴ４内に乗り込むことが可能となり、また、カゴ４内の利用者は乗場５に降りることが可能となる。
【００１７】
ところで、本実施形態の群管理制御装置１は、複数のエレベータ３を有する群管理制御内において、号機毎、階床毎のカゴ呼び不停止機能を有する。群管理制御装置１は、群管理制御内のいずれかの号機のいずれかの階床がカゴ呼び不停止階に設定された場合、群管理制御内のある特定の号機にしかサービスができないカゴ呼び不停止階が生じる場合がある。また、群管理制御装置１は、群管理制御内において、上記のように乗場呼びが登録された場合、その時点では、利用者の目的階までは把握できない。そして、当該乗場呼びに対して割り当てられ応答する号機は、上述したように群管理制御内での輸送効率上、上記乗場呼びを登録した階床へ応答するのに最適な号機となる。このとき、この割当てられた最適号機が上記カゴ呼び不停止階へサービスできる号機とは限らない。このため、上記利用者の目的階が上記カゴ呼び不停止階であった場合には、例えば、上記カゴ呼び不停止階に向かっている途中の階床で降車し、当該乗継ぎ階で再度乗場呼びを登録し、他の号機に乗り換える必要が生じるおそれがある。あるいは、上記利用者のいる階床で上記カゴ呼び不停止階へサービス可能な他の号機に割り当てが出力されるまで乗場呼びを登録し直す必要が生じるおそれがある。さらに、複数のエレベータ３を有する群管理制御内のシステムによっては、上記カゴ呼び不停止階を切り替え可能な場合がある。本実施形態の群管理制御装置１は、典型的には、上述したカゴ呼び不停止切替装置１０を介して係員等の操作に応じてカゴ４毎、階床毎に、停止不能なカゴ呼び不停止階を切り替える制御を実行可能である。ここで、カゴ呼び不停止階は、典型的には、カゴ４がカゴ呼びによって停止することができない階床であり、例えば、低層階／高層階等のサービス対象階床のゾーニングや各階床のセキュリティ関係等に応じて任意に設定されるものである。そして、群管理制御装置１は、上記のようにカゴ４毎、階床毎にカゴ呼び不停止階が切り替え可能である場合であっても、エレベータ群２を適切に群管理しカゴ呼び不停止階に対しても円滑に運行が行われることが望まれる。
【００１８】
そこで、本実施形態の群管理制御装置１は、カゴ呼び不停止階が設定されたカゴ４のカゴ呼び登録装置４ａの機能を、通常カゴ呼び登録機能から乗継ぎ呼び登録機能に切り替える制御を実行可能である。ここで、通常カゴ呼び登録機能とは、全ての階床をそれぞれ目的階とするカゴ呼びを登録可能とする機能である。一方、乗継ぎ呼び登録機能とは、カゴ呼び不停止階を目的階とし当該カゴ呼び不停止階が設定された乗継ぎ元のカゴ４を乗継ぎ階へ向かわせると共に当該カゴ呼び不停止階に停止可能な乗継ぎ先のカゴ４を乗継ぎ階へ呼び寄せる乗継ぎ呼びを登録可能とする機能である。さらに、群管理制御装置１は、カゴ呼び登録装置４ａの機能が乗継ぎ呼び登録機能である際に、スピーカ４ｂ、表示モニタ４ｃ等を介して当該乗継ぎ呼び登録機能が作動中である旨を案内する制御を実行可能である。そして、群管理制御装置１は、典型的には、乗継ぎ呼び登録機能で作動中のカゴ呼び登録装置４ａを介して乗継ぎ呼びがなされた際に、下記のような制御を実行可能である。すなわち、群管理制御装置１は、当該乗継ぎ呼びがなされた乗継ぎ元のカゴ４に対して、同着、又は、遅れて到着可能である乗継ぎ先のカゴ４及び乗継ぎ階の組み合わせを選定する。そして、群管理制御装置１は、乗継ぎ元のカゴ４を当該乗継ぎ階へ向かわせ、当該乗継ぎ先のカゴ４を当該乗継ぎ階へ呼び寄せる制御を実行可能である。これにより、群管理制御装置１は、カゴ４毎、階床毎にカゴ呼び不停止階が切り替え可能である場合であっても、エレベータ群２を円滑に群管理して運行することができるようにしている。
【００１９】
ここでは、本実施形態の群管理制御装置１は、さらに、乗継ぎ先のカゴ４及び乗継ぎ階の組み合わせを選定した後に、乗継ぎ元のカゴ４、又は、乗継ぎ先のカゴ４において新規の乗場呼びに対する応答が割り当てられた場合に、下記の制御を実行可能である。すなわち、群管理制御装置１は、当該乗継ぎ階は変更せず新たな乗継ぎ先のカゴ４を再選定する制御を実行可能である。同様に、群管理制御装置１は、乗継ぎ元のカゴ４、又は、乗継ぎ先のカゴ４において新規のカゴ呼びが登緑された場合に、当該乗継ぎ階は変更せず新たな乗継ぎ先のカゴ４を再選定する制御を実行可能である。また、群管理制御装置１は、さらに、乗継ぎ元のカゴ４において、スピーカ４ｂ、表示モニタ４ｃ等を介して、選定された乗継ぎ先のカゴ４及び乗継ぎ階を案内する制御を実行可能である。
【００２０】
具体的には、群管理制御装置１は、図１に示すように、各単体制御部７に、それぞれ機能概念的に、カゴ呼び登録部７ａ、乗継ぎ呼び登録部７ｂ、登録機能切替案内出力部７ｃ、割当て受信部７ｄ、カゴ呼び不停止制御部７ｅ、エレベータ情報出力部７ｆ、乗継ぎ案内出力部７ｇ、乗場呼び登録部７ｈ、カゴ呼び不停止アンサーバック出力部７ｉが設けられる。また、群管理制御装置１は、群管理制御部９に、機能概念的に、割当て制御部９ａ、登録機能切替制御部９ｂ、乗継ぎ選定処理実行部９ｃ、乗継ぎ階カゴ呼び自動登録部９ｄ、乗継ぎ選定処理再実行部９ｅ等が設けられている。
【００２１】
カゴ呼び登録部７ａは、利用者によるカゴ呼び登録装置４ａを介した操作に応じて、カゴ呼びを登録するものである。カゴ呼び登録部７ａは、カゴ呼び登録装置４ａが通常カゴ呼び登録機能で作動中である際に各目的階のボタン／タッチパネルが操作された場合に、自号機へ当該目的階に応じたカゴ呼び（通常カゴ呼び）を登録する。また、カゴ呼び登録部７ａは、カゴ呼び登録装置４ａが乗継ぎ呼び登録機能で作動中である際にカゴ呼び不停止階以外の目的階のボタン／タッチパネルが操作された場合に、自号機へ当該目的階に応じたカゴ呼び（通常カゴ呼び）を登録する。カゴ呼び登録部７ａは、例えば、後述の登録機能切替制御部９ｂからの信号に応じて各ボタン／タッチパネルの有効／無効、点灯／消灯等が切り替えられる。
【００２２】
乗継ぎ呼び登録部７ｂは、カゴ呼び登録装置４ａが乗継ぎ呼び登録機能で作動中である際に、利用者によるカゴ呼び登録装置４ａを介した操作に応じて、乗継ぎ呼びを登録するものである。乗継ぎ呼び登録部７ｂは、カゴ呼び登録装置４ａが乗継ぎ呼び登録機能で作動中である際にカゴ呼び不停止階のボタン／タッチパネルが操作された場合に、当該カゴ呼び不停止階に応じた乗継ぎ呼びを登録する。乗継ぎ呼び登録部７ｂは、登録された乗継ぎ呼びに応じた乗継ぎ呼び登録信号を乗継ぎ選定処理実行部９ｃに送信する。乗継ぎ呼び登録部７ｂは、例えば、後述の登録機能切替制御部９ｂからの信号に応じて各ボタン／タッチパネルの有効／無効、点灯／消灯等が切り替えられる。
【００２３】
登録機能切替案内出力部７ｃは、スピーカ４ｂ、表示モニタ４ｃ等を介して、カゴ呼び登録装置４ａの登録機能の切り替えに関する案内を出力するものである。登録機能切替案内出力部７ｃは、カゴ呼び登録装置４ａの機能が乗継ぎ呼び登録機能である際に、スピーカ４ｂ、表示モニタ４ｃ等を介して当該乗継ぎ呼び登録機能が作動中である旨を案内する。登録機能切替案内出力部７ｃは、例えば、後述の登録機能切替制御部９ｂにより、カゴ呼び登録装置４ａがカゴ呼び登録部７ａによる通常カゴ呼び登録機能から、乗継ぎ呼び登録部７ｂによる乗継ぎ呼び登録機能へ切り替えがなされた際に、下記のような案内を出力する。すなわちこの場合、登録機能切替案内出力部７ｃは、登録機能切替制御部９ｂからの信号に応じて当該切り替えがなされたことを利用者に認識させるための案内を出力する。登録機能切替案内出力部７ｃは、例えば、切替案内情報として、「現在、○○階が不停止階であるため、乗継ぎ呼び登録機能が作動中です。」等の案内を出力する。またこの場合、登録機能切替案内出力部７ｃは、カゴ呼び登録装置４ａにおいて、乗継ぎ呼び登録機能が有効となっているボタン／タッチパネルと、通常カゴ呼び登録機能が有効となっているボタン／タッチパネルとの表示態様を、相違させるようにしてもよい。この場合、登録機能切替案内出力部７ｃは、例えば、色や点灯／点滅状態を異ならせるようにしてもよい。さらに、登録機能切替案内出力部７ｃは、例えば、「他のエレベータを乗継いで○○階に向うことができます。」等の案内をあわせて出力してもよい。この結果、この群管理制御装置１は、利用者に対して、カゴ呼び不停止階の切り替えに応じてカゴ呼び登録装置４ａの登録機能が切り替わったことを認識させることができる。
【００２４】
割当て受信部７ｄは、後述の割当て制御部９ａから乗場呼び等に対する応答の割り当てに応じた割当信号を受信し、当該割当信号に応じて自号機のカゴ４の駆動を制御するものである。
【００２５】
カゴ呼び不停止制御部７ｅは、係員等によるカゴ呼び不停止切替装置１０の操作に応じて、当該カゴ呼び不停止切替装置１０からカゴ呼び不停止信号を受信するものである。カゴ呼び不停止制御部７ｅは、カゴ呼び不停止信号に基づいて、自号機に設定されたカゴ呼び不停止階に応じて、自号機のカゴ呼び不停止を制御するものである。
【００２６】
エレベータ情報出力部７ｆは、自号機情報信号を割当て制御部９ａ、乗継ぎ選定処理実行部９ｃ、乗継ぎ選定処理再実行部９ｅに送信するものである。自号機情報信号は、例えば、自号機のカゴ４の現在位置、走行方向、荷重等のエレベータ情報やカゴ呼び登録部７ａによって登録されたカゴ呼びの状況等を含む自号機情報に応じた信号である。
【００２７】
乗継ぎ案内出力部７ｇは、スピーカ４ｂ、表示モニタ４ｃ等を介して、乗継ぎに関する案内を出力するものである。乗継ぎ案内出力部７ｇは、後述の乗継ぎ選定処理実行部９ｃ、乗継ぎ選定処理再実行部９ｅにより選定された乗継ぎ先のカゴ４及び乗継ぎ階に関する乗継ぎ先信号を受信する。乗継ぎ案内出力部７ｇは、受信した乗継ぎ先信号に基づいて、乗継ぎ呼び登録部７ｂにより乗継ぎ呼びが登録されたエレベータ３のカゴ４、すなわち、乗継ぎ元のカゴ４に、乗継ぎ先のカゴ４及び乗継ぎ階に関する案内を出力する。乗継ぎ案内出力部７ｇは、例えば、乗継ぎ先案内情報として、「○○階で○○号機に乗り継いでください。」等の案内を出力する。
【００２８】
乗場呼び登録部７ｈは、利用者による乗場呼び登録装置６を介した操作に応じて、乗場呼びを登録するものである。乗場呼び登録部７ｈは、上方向、又は、下方向のボタン／タッチパネルが操作された場合に、当該乗場５における所定方向の乗場呼びを登録する。乗場呼び登録部７ｈは、登録された乗場呼びに応じた乗場呼び登録信号を割当て制御部９ａに送信する。
【００２９】
カゴ呼び不停止アンサーバック出力部７ｉは、カゴ呼び不停止制御部７ｅによりカゴ呼び不停止階が設定された後、自号機における階床毎のカゴ呼び不停止階情報に関するアンサーバック信号を各部に送信する。カゴ呼び不停止アンサーバック出力部７ｉは、登録機能切替制御部９ｂ、乗継ぎ選定処理実行部９ｃ、乗継ぎ選定処理再実行部９ｅに当該アンサーバック信号を送信する。
【００３０】
割当て制御部９ａは、各部から送信される各種信号に応じて、乗場呼び登録装置６を介して乗場呼び登録部７ｈにより乗場呼びが登録されると、上述のように、各々のエレベータ３の状態よりエレベータの評価値を算出するものである。そして、割当て制御部９ａは、算出した評価値等に基づいて当該登録された乗場呼びに応答する最適なカゴ４を決定し割り当てを出力する。割当て制御部９ａは、例えば、各号機に既に割り当てられた乗場呼び、各エレベータ情報出力部７ｆから受信したカゴ呼び登録状況を含む各号機の運転情報等に基づいて、乗場呼びが登録された階床への各号機の予測到着時間を算出する。そして、割当て制御部９ａは、当該予測到着時問から最も群管理制御内での運転効率が良い(例えば、予測到着時間が最も短い)号機を選定する。そして、割当て制御部９ａは、割り当てられた号機の割当て受信部７ｄに、乗場呼びが登録された階床への停止を要求する割当信号を出力する。また、割当て制御部９ａは、各号機に応じた割当信号を乗継ぎ選定処理実行部９ｃ、乗継ぎ選定処理再実行部９ｅにも送信する。
【００３１】
登録機能切替制御部９ｂは、カゴ呼び不停止制御部７ｅにより各エレベータ３の所定の階床がカゴ呼び不停止階となった際にカゴ呼び登録装置４ａの機能の切替処理を行う。ここでは、登録機能切替制御部９ｂは、当該群管理制御内に当該カゴ呼び不停止階へサービス可能な他のエレベータ３が存在すると判断した場合に下記のようなカゴ呼び登録装置４ａの機能の切替処理を行う。すなわち、登録機能切替制御部９ｂは、当該カゴ呼び不停止階が設定されたカゴ４のカゴ呼び登録部７ａに対して、カゴ呼び登録装置４ａの当該カゴ呼び不停止階に応じたボタン／タッチパネルを介したカゴ呼び（通常カゴ呼び）を無効にする切替信号を送信する。これにより、登録機能切替制御部９ｂは、当該カゴ呼び不停止階のカゴ呼び（通常カゴ呼び）を無効にする。その後、登録機能切替制御部９ｂは、当該カゴ呼び不停止階が設定されたカゴ４の乗継ぎ呼び登録部７ｂに対して、カゴ呼び登録装置４ａの当該カゴ呼び不停止階に応じたボタン／タッチパネルを介した乗継ぎ呼びを有効にする切替信号を送信する。これにより、登録機能切替制御部９ｂは、当該カゴ呼び不停止階の乗継ぎ呼びを有効にする。つまり、登録機能切替制御部９ｂは、カゴ呼び登録装置４ａにおいて、カゴ呼び不停止階に応じたボタン／タッチパネルの機能を、通常カゴ呼び登録機能から乗継ぎ呼び登録機能に切り替える。登録機能切替制御部９ｂは、それ以外のボタン／タッチパネルの機能は、通常カゴ呼び登録機能のまま維持する。登録機能切替制御部９ｂは、例えば、カゴ呼び不停止アンサーバック出力部７ｉから受信したアンサーバック信号等に基づいて、上記のようなカゴ呼び登録装置４ａの機能の切り替えを行う。
【００３２】
ここで、図２を例に挙げて説明する。図２は、Ａ号機の４Ｆがカゴ呼び不停止切替装置１０によってカゴ呼び不停止階１１に設定されており、Ａ号機の４Ｆ以外の階床と、Ｂ号機、Ｃ号機の全階床が停止可能階に設定されている状態を示している。なおここでは、後述の説明を容易にするため、Ａ〜Ｃ号機の各号機にはカゴ呼び登録、及び、乗場呼びの割り当てがなく、無方向待機している状態を示しているものとする。
【００３３】
例えば、登録機能切替制御部９ｂは、同一群管理制御内の他の号機であるＢ号機、Ｃ号機がカゴ呼び不停止階（４Ｆ）１１に停止可能に設定されていると判断した場合、下記のような信号をカゴ呼び登録部７ａ、乗継ぎ呼び登録部７ｂに送信する。すなわち、登録機能切替制御部９ｂは、カゴ呼び不停止階１１を有するＡ号機のカゴ呼び登録装置４ａを介した当該カゴ呼び不停止階（４Ｆ）１１のカゴ呼びの機能を無効とし、当該カゴ呼び不停止階（４Ｆ）１１の乗継ぎ呼びの機能を有効とする信号を送信する。これにより、登録機能切替制御部９ｂは、カゴ呼び不停止階１１を有する号機（Ａ号機）のカゴ４内のカゴ呼び登録装置４ａの機能を切り替える。そして、登録機能切替制御部９ｂは、上述したように、登録機能が切り替えられたカゴ呼び登録装置４ａを有する号機（Ａ号機）の登録機能切替案内出力部７ｃへ切替信号を送信する。これにより、登録機能切替案内出力部７ｃは、登録機能切替制御部９ｂから受信した切替信号に基づいて、当該切り替えられた号機のスピーカ４ｂ、表示モニタ４ｃへ切替案内情報を出力する。すなわち、登録機能切替案内出力部７ｃは、当該号機（Ａ号機）のカゴ呼び登録装置４ａが通常カゴ呼び登録機能から乗継ぎ呼び登録機能に切り替えられたことを利用者に認識させるための切替案内情報を出力する。
【００３４】
乗継ぎ選定処理実行部９ｃは、各部から送信される各種信号に応じて、乗継ぎ呼びがなされた乗継ぎ元のカゴ４に対して、同着、又は、遅れて到着可能である乗継ぎ先のカゴ４及び乗継ぎ階の組み合わせを選定するものである。乗継ぎ選定処理実行部９ｃは、例えば、乗継ぎ呼び登録部７ｂにより乗継ぎ呼びが登録されると、乗継ぎ元予測到着時間と、乗継ぎ先予測到着時間とを算出する。ここで、乗継ぎ元予測到着時間とは、当該乗継ぎ呼びが登録された号機の停止可能な各階床への予測到着時間である。乗継ぎ先予測到着時間とは、カゴ呼び不停止階へサービス可能な他の号機の当該停止可能な各階床への予測到着時間である。そして、乗継ぎ選定処理実行部９ｃは、乗継ぎ呼びが登録されたエレベータ３の乗継ぎ元のカゴ４よりも、乗継ぎ階への到着が遅くなる、もしくは、同着となるような乗継ぎ先のカゴ４及び乗継ぎ階の組み合わせのうち、下記のような組み合わせを選定する。すなわち、乗継ぎ選定処理実行部９ｃは、乗継ぎ元予測到着時間と乗継ぎ先予測到着時間との差が最小となる乗継ぎ先のカゴ４及び乗継ぎ階の組み合わせを選定する。
【００３５】
例えば、乗継ぎ選定処理実行部９ｃは、図２に示す状態から、Ａ号機において４Ｆの乗継ぎ呼びが登録された場合、乗継ぎ元予測到着時間と乗継ぎ先予測到着時間とを算出する。この場合、乗継ぎ選定処理実行部９ｃは、乗継ぎ元予測到着時間として、乗継ぎ呼びが登録された号機（Ａ号機）が停止可能な各階床、ここでは、１Ｆ〜３Ｆ、５Ｆ〜８Ｆへの各乗継ぎ元予測到着時間を算出する。また、乗継ぎ選定処理実行部９ｃは、乗継ぎ先予測到着時間として、カゴ呼び不停止階１１ヘサービス可能な号機（Ｂ、Ｃ号機）それぞれにおいて、停止可能な各階床、ここでは、１Ｆ〜８Ｆへの各乗継ぎ先予測到着時間を算出する。そして、乗継ぎ選定処理実行部９ｃは、乗継ぎ元の号機よりも、乗継ぎ先号機のほうが乗継ぎ階への到着が遅くなる、もしくは同着となるような乗継ぎ階と乗継ぎ先号機の組み合わせであって、下記のような組み合わせを選定する。すなわち、乗継ぎ選定処理実行部９ｃは、乗継ぎ元予測到着時間と乗継ぎ先予測到着時間との差が最小となる乗継ぎ階と乗継ぎ先号機（Ｂ又はＣ号機)の組み合わせを選定する。例えば、乗継ぎ選定処理実行部９ｃは、図２に示す状態から、Ａ号機の４Ｆ乗継ぎ呼びが登録された場合、乗継ぎ階として３Ｆ、最適な乗継ぎ先号機としてＢ号機を選定する。
【００３６】
なお、乗継ぎ選定処理実行部９ｃは、上記のように最適な乗継ぎ先号機のカゴ４を選択する際には、各カゴ４の移動方向、目的階の位置等を踏まえて、乗継ぎ階の候補とする階床に優先順位を設定してもよい。例えば、乗継ぎ選定処理実行部９ｃは、乗継ぎ元のカゴ４の現在位置と目的階との間の階床を乗継ぎ階の第１候補とし、乗継ぎ元予測到着時間と乗継ぎ先予測到着時間との差が最小となる乗継ぎ階を最適な乗継ぎ階として選定するようにしてもよい。この場合、乗継ぎ選定処理実行部９ｃは、例えば、乗継ぎ元予測到着時間と乗継ぎ先予測到着時間との差が所定時間以内となる乗継ぎ階がみつからない場合には、次の候補として、例えば、目的階より離間した側の階床を乗継ぎ階の第２候補としてもよい。同様に、乗継ぎ選定処理実行部９ｃは、この場合でも最適な乗継ぎ階がみつからない場合には、次の候補として、例えば、乗継ぎ元のカゴ４の現在位置に対して目的階とは反対側の階床を乗継ぎ階の第３候補としてもよい。つまり、乗継ぎ選定処理実行部９ｃは、例えば、途中階床、同方向階床、反対階床の順で、乗継ぎ階の候補とする階床に優先順位を設定してもよい。ここで、途中階床とは、乗継ぎ元のカゴ４が目的階側に移動する際の移動方向に対して、乗継ぎ元のカゴ４の現在位置と目的階との間の階床（図２の場合、２Ｆ、３Ｆ）である。同方向階床とは、乗継ぎ元のカゴ４が目的階側に移動する際の移動方向に対して、目的階より離間した側の階床（図２の場合、５Ｆ〜８Ｆ）である。反対階床とは、乗継ぎ元のカゴ４が目的階側に移動する際の移動方向とは反対側の階床（図２の場合、該当階床なし）である。
【００３７】
そして、乗継ぎ選定処理実行部９ｃは、選定した最適な乗継ぎ先のカゴ４を乗継ぎ階へ停止させるための割当て指令を割当て制御部９ａへ出力する。これにより、割当て制御部９ａは、乗継ぎ階停止割当て部としても機能し、選定された最適な乗継ぎ先のカゴ４へ乗継ぎ階への停止を割当てる。例えば、割当て制御部９ａは、図２の場合、乗継ぎ先号機としてのＢ号機のカゴ４へ乗継ぎ階としての３Ｆへの停止を割当てる。この結果、この群管理制御装置１は、最適な乗継ぎ先のカゴ４を乗継ぎ階に自動で移動させることができる。
【００３８】
また、乗継ぎ選定処理実行部９ｃは、選定した乗継ぎ階と最適な乗継ぎ先のカゴ４の情報を含む乗継ぎ先信号を、乗継ぎ元のカゴ４の乗継ぎ案内出力部７ｇと、乗継ぎ選定処理再実行部９ｅへ送信する。これにより、乗継ぎ案内出力部７ｇは、上述したように、乗継ぎ選定処理実行部９ｃから受信した乗継ぎ先信号に基づいて、乗継ぎ元のカゴ４のスピーカ４ｂ、表示モニタ４ｃへ、乗継ぎ先のカゴ４の号機及び乗継ぎ階に関する乗継ぎ先案内情報を出力する。例えば、乗継ぎ選定処理実行部９ｃは、図２の場合、乗継ぎ元としてＡ号機のカゴ４の乗継ぎ案内出力部７ｇに乗継ぎ先号機及び乗継ぎ階がＢ号機及び３Ｆである旨の情報を含む乗継ぎ先信号を送信する。そして、Ａ号機の乗継ぎ案内出力部７ｇは、受信した乗継ぎ先信号に基づいて、乗継ぎ元のＡ号機のカゴ４のスピーカ４ｂ、表示モニタ４ｃへ、乗継ぎ先のカゴ４の号機及び乗継ぎ階がＢ号機及び３Ｆである旨の乗継ぎ先案内情報を出力する。
【００３９】
さらに、乗継ぎ選定処理実行部９ｃは、選定した乗継ぎ階と乗継ぎ元のカゴ４の情報を含む乗継ぎ元信号を乗継ぎ階カゴ呼び自動登録部９ｄへ送信する。
【００４０】
乗継ぎ階カゴ呼び自動登録部９ｄは、乗継ぎ呼び登録部７ｂより乗継ぎ呼びが登録された乗継ぎ元のエレベータ３のカゴ４へ、乗継ぎ選定処理実行部９ｃにより選定された乗継ぎ階へのカゴ呼びを自動登緑するものである。乗継ぎ階カゴ呼び自動登録部９ｄは、乗継ぎ選定処理実行部９ｃから受信した乗継ぎ元信号に基づいて、乗継ぎ元のカゴ呼び登録部７ａに乗継ぎ階のカゴ呼び登録指令を送信する。そして、乗継ぎ元のカゴ４のカゴ呼び登録部７ａは、乗継ぎ階のカゴ呼び登録指令に基づいて、選定された乗継ぎ階へのカゴ呼びを自動登緑する。例えば、乗継ぎ階カゴ呼び自動登録部９ｄは、図２の場合、乗継ぎ元としてＡ号機のカゴ４へ乗継ぎ階自動登録信号を送信する。Ａ号機のカゴ呼び登録部７ａは、乗継ぎ階自動登録信号に基づいて、乗継ぎ階としての３Ｆへのカゴ呼びを自動登緑する。この結果、この群管理制御装置１は、乗継ぎ元のカゴ４を乗継ぎ階に自動で移動させることができる。
【００４１】
このとき、乗継ぎ元の乗継ぎ案内出力部７ｇは、上述したように、乗継ぎ選定処理実行部９ｃから受信した乗継ぎ先信号に基づいて、乗継ぎ先のカゴ４の号機及び乗継ぎ階に関する乗継ぎ先案内情報を出力する。この場合、乗継ぎ元の乗継ぎ案内出力部７ｇは、乗継ぎ元のカゴ４のスピーカ４ｂ、表示モニタ４ｃへ、乗継ぎ先のカゴ４の号機及び乗継ぎ階に関する乗継ぎ先案内情報を出力している。この結果、この群管理制御装置１は、利用者の乗継ぎ階での乗継ぎを円滑に案内することができる。
【００４２】
乗継ぎ選定処理再実行部９ｅは、乗継ぎ選定処理実行部９ｃにより乗継ぎ階と最適な乗継ぎ先のカゴ４の組み合わせが選定された後に、所定の条件下で乗継ぎ先のカゴ４を再選定するものである。乗継ぎ選定処理再実行部９ｅは、乗継ぎ呼び登録部７ｂにより乗継ぎ呼びが登録された乗継ぎ元のカゴ４、もしくは、当該最適な乗継ぎ先のカゴ４に対して１つ以上の新規の乗場呼びが割り当てられた場合に、新たな乗継ぎ先のカゴを再選定する。この場合、乗継ぎ選定処理再実行部９ｅは、乗継ぎ階は変更せず新たな乗継ぎ先のカゴを再選定する。また、乗継ぎ選定処理再実行部９ｅは、乗継ぎ階と最適な乗継ぎ先のカゴ４の組み合わせが選定された後に、乗継ぎ元のカゴ４、もしくは、乗継ぎ先のカゴ４において新規のカゴ呼びが登緑された場合にも、乗継ぎ階は変更せず新たな乗継ぎ先のカゴを再選定する。乗継ぎ選定処理再実行部９ｅは、例えば、割当て制御部９ａにより最適な乗継ぎ先のカゴ４へ乗継ぎ階への停止が割当てられてから、当該乗継ぎ先のカゴ４が乗継ぎ階へ減速開始するまでの期間に、上記所定の条件下で再選定を行う。乗継ぎ選定処理再実行部９ｅは、乗継ぎ選定処理実行部９ｃとほぼ同様の要領で、乗継ぎ階は変更せず新たな乗継ぎ先のカゴを再選定する。
【００４３】
そして、乗継ぎ選定処理再実行部９ｅは、再選定した最適な乗継ぎ先のカゴ４を乗継ぎ階へ停止させるための割当て指令を割当て制御部９ａへ出力する。これにより、割当て制御部９ａは、再選定された最適な乗継ぎ先のカゴ４へ乗継ぎ階への停止を割当てる。また、乗継ぎ選定処理再実行部９ｅは、再選定した乗継ぎ先のカゴ４の情報を含む乗継ぎ先信号を、乗継ぎ元のカゴ４の乗継ぎ案内出力部７ｇへ送信する。これにより、乗継ぎ案内出力部７ｇは、乗継ぎ選定処理再実行部９ｅから受信した乗継ぎ先信号に基づいて、乗継ぎ元のカゴ４のスピーカ４ｂ、表示モニタ４ｃへ、再選定後の乗継ぎ先のカゴ４の号機及び乗継ぎ階に関する乗継ぎ先案内情報を出力する。
【００４４】
この結果、この群管理制御装置１は、乗継ぎ階と乗継ぎ先のカゴ４の組み合わせを選定した後に、各号機に状況の変化が生じた場合であっても、当該状況の変化に対応して、再度、最適な乗継ぎ先のカゴ４を選定し、乗継ぎ呼びに対して応答することができる。
【００４５】
次に、図３のフローチャートを参照して群管理制御装置１による登録機能切替制御の一例を説明する。  
【００４６】
まず、群管理制御装置１の各号機のカゴ呼び不停止制御部７ｅは、係員によってカゴ呼び不停止切替装置１０を介してカゴ４毎、階床毎にカゴ呼び不停止階を設定する操作が行われると、これに応じて各号機、各階床のカゴ呼び不停止階の設定を切り替える。そして、群管理制御装置１の各号機のカゴ呼び不停止アンサーバック出力部７ｉは、登録機能切替制御部９ｂにカゴ呼び不停止階情報に関するアンサーバック信号を送信する。そして、群管理制御装置１の登録機能切替制御部９ｂは、号機毎にカゴ呼び不停止階が存在するかを確認する（ステップＳ１）。
【００４７】
登録機能切替制御部９ｂは、当該号機にカゴ呼び不停止階床が存在すると判定した場合（Ｓ１：Ｙｅｓ）、当該号機の同一群管理制御内に当該カゴ呼び不停止階へサービス可能な号機が存在するか否かを判定する（ステップＳ２）。
【００４８】
登録機能切替制御部９ｂは、当該号機にカゴ呼び不停止階床が存在しないと判定した場合（Ｓ１：Ｎｏ）、当該号機のカゴ呼び登録装置４ａの機能をすべて通常カゴ呼び登録機能とし（ステップＳ３）、現在の制御周期を終了し、次の制御周期に移行する。
【００４９】
登録機能切替制御部９ｂは、ステップＳ２にて当該号機の同一群管理制御内に当該カゴ呼び不停止階へサービス可能な号機が存在すると判定した場合（ステップＳ２：Ｙｅｓ）、下記のように制御する。すなわち、登録機能切替制御部９ｂは、当該号機のカゴ呼び登録装置４ａのカゴ呼び不停止階に応じた機能を、通常カゴ呼び登録機能から乗継ぎ呼び登録機能に機能切替する（ステップＳ４）。
【００５０】
そして、群管理制御装置１の当該号機の乗継ぎ案内出力部７ｇは、当該号機のカゴ４内のスピーカ４ｂ、表示モニタ４ｃ等に、当該カゴ呼び不停止階のカゴ呼び登録装置４ａの機能が乗継ぎ呼び登録機能となった旨を表示、案内する（ステップＳ５）。そして、群管理制御装置１は、現在の制御周期を終了し、次の制御周期に移行する。
【００５１】
登録機能切替制御部９ｂは、ステップＳ２にて、当該号機の同一群管理制御内に当該カゴ呼び不停止階へサービス可能な号機が存在しないと判定した場合（ステップＳ２：Ｎｏ）、下記のように制御する。すなわち、登録機能切替制御部９ｂは、同一群管理制御内の全号機のカゴ４内のカゴ呼び登録装置４ａの当該カゴ呼び不停止階のボタン／タッチパネルをすべて無効とし、以後のカゴ呼び不停止階のカゴ呼び登録を不可とする（ステップＳ６）。そして、群管理制御装置１は、現在の制御周期を終了し、次の制御周期に移行する。
【００５２】
次に、図４のフローチャートを参照して群管理制御装置１による乗継ぎ運転制御の一例を説明する。以下では、利用者が各階床の乗場５において乗場呼び登録装置６を介して乗場呼びを行い、当該乗場呼びに応答した号機が図３の制御によりカゴ呼び登録装置４ａの機能が乗継ぎ呼び登録機能となった号機（図２ではＡ号機）であった場合を説明する。
【００５３】
この場合、群管理制御装置１の乗継ぎ選定処理実行部９ｃは、当該号機（図２ではＡ号機）のカゴ呼び登録装置４ａを介して乗継ぎ呼び（図２ではＡ号機の４Ｆ乗継ぎ呼び）が登録されたか否かを判定する（ステップＳ１０１）。乗継ぎ選定処理実行部９ｃは、乗継ぎ呼びが登録されていないと判定した場合（ステップＳ１０１：Ｎｏ）、乗継ぎ呼びが登録されたと判定されるまで、この処理を繰り返し実行する。
【００５４】
乗継ぎ選定処理実行部９ｃは、乗継ぎ呼びが登録されたと判定した場合（ステップＳ１０１：Ｙｅｓ）、乗継ぎ階、及び、最適な乗継ぎ先号機のカゴ４の組み合わせを選定する（ステップＳ１０２）。乗継ぎ選定処理実行部９ｃは、例えば、乗継ぎ呼びが登録された乗継ぎ元号機（図２ではＡ号機）の停止可能な各階床（図２では１Ｆ〜３Ｆ、５Ｆ〜８Ｆ）への各乗継ぎ元予測到着時間を算出する。また、乗継ぎ選定処理実行部９ｃは、カゴ呼び不停止階へサービス可能な号機（Ｂ、Ｃ号機）それぞれの停止可能な各階床（図２では１Ｆ〜８Ｆ）への乗継ぎ先予測到着時間を算出する。そして、乗継ぎ選定処理実行部９ｃは、乗継ぎ元の号機よりも、カゴ呼び不停止階１１ヘサービス可能な乗継ぎ先号機のほうが乗継ぎ階への到着が遅くなる、もしくは同着となるような乗継ぎ階と乗継ぎ先号機の組み合わせのうち、下記の組み合わせを選定する。すなわち、乗継ぎ選定処理実行部９ｃは、乗継ぎ元予測到着時間と乗継ぎ先予測到着時間との差が最小となる乗継ぎ階と乗継ぎ先号機の組み合わせを選定する（図２では、乗継ぎ階が３Ｆ、最適な乗継ぎ先号機がＢ号機）。
【００５５】
次に、群管理制御装置１の乗継ぎ階カゴ呼び自動登録部９ｄは、乗継ぎ呼びが登録された乗継ぎ元号機のカゴ４に、選定された乗継ぎ階のカゴ呼びを登録する（ステップＳ１０３）。
【００５６】
次に、群管理制御装置１の割当て制御部９ａは、選定された最適な乗継ぎ先号機のカゴ４へ乗継ぎ階への停止を割当てる（ステップＳ１０４）。
【００５７】
次に、乗継ぎ選定処理実行部９ｃは、乗継ぎ元号機の乗継ぎ案内出力部７ｇへ選定した乗継ぎ階と最適な乗継ぎ先のカゴ４の情報を含む乗継ぎ先信号を送信する。そして、乗継ぎ案内出力部７ｇは、乗継ぎ呼びが登録された乗継ぎ元号機のカゴ４内のスピーカ４ｂ、表示モニタ４ｃ等により乗継ぎ案内をする（ステップＳ１０５）。
【００５８】
次に、群管理制御装置１の乗継ぎ選定処理再実行部９ｅは、割当て制御部９ａにより最適な乗継ぎ先のカゴ４へ乗継ぎ階への停止が割当てられてから、下記の条件を満たしたか否かを判定する。すなわち、乗継ぎ選定処理再実行部９ｅは、乗継ぎ呼びが登録された乗継ぎ元号機のカゴ４に、新規のカゴ呼びの登緑がなされた、もしくは、新規の乗場呼びが割り当てられたか否かを判定する（ステップＳ１０６）。
【００５９】
乗継ぎ選定処理再実行部９ｅは、乗継ぎ元号機のカゴ４に、新規のカゴ呼びの登緑、及び、新規の乗場呼びの割り当てのいずれもなされていないと判定した場合（ステップＳ１０６：Ｎｏ）、下記の判定を行う。すなわち、乗継ぎ選定処理再実行部９ｅは、選定された最適な乗継ぎ先号機のカゴ４に、新規のカゴ呼びの登緑がなされた、もしくは、新規の乗場呼びが割り当てられたか否かを判定する（ステップＳ１０７）。
【００６０】
乗継ぎ選定処理再実行部９ｅは、ステップＳ１０６にて乗継ぎ元号機のカゴ４に、新規のカゴ呼びの登緑、又は、新規の乗場呼びの割り当てがなされたと判定した場合（ステップＳ１０６：Ｙｅｓ）、下記の制御を行う。すなわち、乗継ぎ選定処理再実行部９ｅは、乗継ぎ階は変更せずに、最適な乗継ぎ先号機のカゴ４を再選定し（ステップＳ１０８）、処理をステップＳＴ１０４に移行させる。そして、群管理制御装置１は、再割当て、再案内等を行う。同様に、乗継ぎ選定処理再実行部９ｅは、ステップＳ１０７にて乗継ぎ先号機のカゴ４に、新規のカゴ呼びの登緑、又は、新規の乗場呼びの割り当てがなされたと判定した場合（ステップＳ１０７：Ｙｅｓ）、処理をステップＳＴ１０８に移行させる。
【００６１】
乗継ぎ選定処理再実行部９ｅは、ステップＳ１０７にて乗継ぎ先号機のカゴ４に、新規のカゴ呼びの登緑、及び、新規の乗場呼びの割り当てのいずれもなされていないと判定した場合（ステップＳ１０７：Ｎｏ）、下記の判定を行う。すなわち、乗継ぎ選定処理再実行部９ｅは、最適な乗継ぎ先号機のカゴ４が乗継ぎ階へ減速中か否かを判定する（ステップＳＴ１０９）。
【００６２】
乗継ぎ選定処理再実行部９ｅは、最適な乗継ぎ先号機のカゴ４が乗継ぎ階へ減速中でないと判定した場合（ステップＳＴ１０９：Ｎｏ）、処理をステップＳＴ１０６に移行させ、以降の処理を繰り返し実行する。
【００６３】
群管理制御装置１は、最適な乗継ぎ先号機のカゴ４が乗継ぎ階へ減速中であると判定した場合（ステップＳＴ１０９：Ｙｅｓ）、現在の制御周期を終了し、次の制御周期に移行する。
【００６４】
上記のように構成される群管理制御装置１は、カゴ呼び不停止切替装置１０を介してカゴ毎、階床毎に、カゴ呼び不停止階の設定を切り替えることができる。このため、群管理制御装置１は、同一群管理制御内の同一階床において、サービス可能な号機とサービス不可能な号機とが混在する場合が生じうる。この場合に、群管理制御装置１は、カゴ呼び不停止階の切り替えに連動して当該カゴ呼び不停止階へサービス不可能な号機のカゴ４内のカゴ呼び登録装置の機能を、通常カゴ呼び登録機能から乗継ぎ呼び登録機能に切り替えることができる。さらに、群管理制御装置１は、当該カゴ呼び登録装置４ａが乗継ぎ呼び登録機能に切り替わったことを案内することができる。
【００６５】
これにより、群管理制御装置１は、利用者が各階床の乗場呼び登録装置６を介して登録された乗場呼びに対して、乗継ぎ呼び登録機能が作動中であるカゴ４が応答した場合に、当該カゴ４内でカゴ呼び登録装置４ａを介した乗継ぎ呼びを登録可能とすることができる。そして、群管理制御装置１は、当該カゴ４内で乗継ぎ呼びがなされると、各号機、各階床の乗継ぎ元予測到着時間、乗継ぎ先予測到着時間等に基づいて、最適な乗継ぎ先のカゴ４及び乗継ぎ階の組み合わせを選定する。このとき、群管理制御装置１は、乗継ぎ元のカゴ４に対して、同着、又は、遅れて到着可能である乗継ぎ先のカゴ４及び乗継ぎ階の組み合わせを選定する。そして、群管理制御装置１は、乗継ぎ元のカゴ４を当該乗継ぎ階へ向かわせ、当該乗継ぎ先のカゴ４を当該乗継ぎ階へ呼び寄せる。そして、群管理制御装置１は、乗継ぎ元のカゴ４と乗継ぎ先のカゴ４とを乗継ぎ階に着床させ、扉８を開放する。
【００６６】
したがって、群管理制御装置１は、カゴ呼び不停止切替装置１０を介してカゴ呼び不停止階が変更されることにより、カゴ呼び不停止階床へのサービス可能／不可能号機が変化する場合であっても、下記のように動作することができる。すなわち、群管理制御装置１は、上記のようにカゴ呼び登録装置４ａの機能を切り替えると共にカゴ呼び登録装置４ａの機能を案内することで、利用者に通常とは異なる操作をさせることなく、乗継ぎ階にて乗継ぎ先のカゴ４に乗継ぎさせることができる。そして、群管理制御装置１は、利用者を効率的にカゴ呼び不停止階床を含む目的階へ移動させることができる。また、群管理制御装置１は、上記のように乗継ぎ元のカゴ４に対して、同着、又は、遅れて到着可能である乗継ぎ先のカゴ４及び乗継ぎ階の組み合わせを選定する。これにより、群管理制御装置１は、乗継ぎ階にて乗継ぎ先のカゴ４が先に出発してしまうような自体が発生することを抑制することができる。この結果、群管理制御装置１は、利用者を確実に乗継ぎ階で乗継ぎ先のカゴ４に乗継ぎさせることができ、乗継ぎ損ねが発生することを抑制することができる。つまり、群管理制御装置１は、利用者が乗場呼びを登録したとき、応答した号機が当該カゴ呼び不停止階へサービス不可能な号機であり、利用者の目的階が当該カゴ呼び不停止階である場合であっても、下記のように動作することができる。すなわち、群管理制御装置１は、当該カゴ４内で利用者が乗継ぎ呼びを登録することで、当該カゴ呼び不停止階にサービス可能な号機にスムーズに、乗継ぎ損ねることなく確実に乗継ぐことができ、当該利用者を目的階へサービスすることができる。この結果、群管理制御装置１は、カゴ４毎、階床毎にカゴ呼び不停止階が切り替え可能である場合であっても、エレベータ群２を円滑に群管理して運行することができ、円滑にカゴ呼び不停止階床を含む目的階へのサービスを行うことができる。
【００６７】
また、群管理制御装置１は、例えば、上記カゴ呼び不停止階へ向うための専用乗場呼び装置等を各階床の乗場に設置することなく、円滑にカゴ呼び不停止階へのサービスを行うことができる。このため、群管理制御装置１は、エレベータシステム全体の製造コストの増加を抑制してエレベータ群２を円滑に群管理して運行することができる。
【００６８】
また、群管理制御装置１は、乗継ぎ階と最適な乗継ぎ先のカゴ４の組み合わせを選定した後に、各号機のカゴ４に状況の変化が生じた場合であっても、当該状況の変化に対応して、再度、最適な乗継ぎ先のカゴ４を選定し、乗継ぎ呼びに対して応答可能である。よって、群管理制御装置１は、状況の変化にあわせて、適切に乗継ぎを行わせ、目的階まで移動させることができる。さらに、群管理制御装置１は、上記のように乗継ぎ元のカゴ４において、利用者に対して乗継ぎ先のカゴ４及び乗継ぎ階を案内することから、円滑に乗継ぎさせることができ、乗継ぎ階で乗継ぎ損ねが発生することを抑制することができる。これにより、群管理制御装置１は、利用者を確実な乗継ぎにより目的階へ効率良くサービスすることができる。
【００６９】
なお、群管理制御装置１は、さらに、群管理制御部９に、機能概念的に、例えば、乗継ぎ階乗場呼び自動登録部を含んで構成されてもよい。乗継ぎ階乗場呼び自動登録部は、乗継ぎ先のカゴ４へ乗継ぎ階への停止が割り当てられた際に、当該乗継ぎ階の乗場５の乗場呼び登録装置６において当該乗継ぎ階から当該乗継ぎ先のカゴ４が目的階へ向かう方向の乗場呼びを自動登緑する制御を実行可能である。乗継ぎ階乗場呼び自動登録部は、例えば、乗継ぎ選定処理実行部９ｃにより乗継ぎ階及び最適な乗継ぎ先のカゴ４の組み合わせが選定され、割当て制御部９ａにより当該乗継ぎ先のカゴ４へ当該乗継ぎ階への停止が割当てられたときに下記のような制御を行う。すなわち、乗継ぎ階乗場呼び自動登録部は、乗継ぎ階の乗場呼び登録装置６において当該乗継ぎ階から当該乗継ぎ先のカゴ４が目的階へ向かう方向の乗場呼びを自動登緑する。例えば、乗継ぎ階乗場呼び自動登録部は、図２の場合、乗継ぎ階である３Ｆの乗場呼び登録装置６において、乗継ぎ元のカゴ４で乗継ぎ呼びがなされた際の目的階である４Ｆへ向う方向の乗場呼びを自動で登録する。すなわち、乗継ぎ階乗場呼び自動登録部は、上方向への乗場呼びを自動で登録し、上方向のボタン／タッチパネルを点灯させる。この結果、この群管理制御装置１は、乗継ぎ階にいる一般の利用者に対して、乗継ぎ呼びがなされた際の目的階方向への乗場呼びが登録されており、当該方向へのカゴ４が到着することを認知させることができる。これにより、群管理制御装置１は、乗継ぎ階にいる一般の利用者に対して煩わしさを感じさせることを抑制することができると共に、新たに重複する無駄な乗場呼びが登録されることを抑制することができるので、より効率的な運行を実現することができる。
【００７０】
また、群管理制御装置１は、さらに、群管理制御部９に、機能概念的に、例えば、目的階カゴ呼び自動登録部を含んで構成されてもよい。目的階カゴ呼び自動登録部は、上述のように、乗継ぎ先のカゴ４が乗継ぎ階に到着した際に、当該乗継ぎ先のカゴ４においてカゴ呼び不停止階である目的階のカゴ呼びを自動登録する制御を実行可能である。目的階カゴ呼び自動登録部は、例えば、乗継ぎ選定処理実行部９ｃから受信する乗継ぎ先信号に基づいて、乗継ぎ選定処理実行部９ｃにより選定された乗継ぎ先のカゴ４が乗継ぎ階に到着した際に、下記のような制御を行う。すなわち、目的階カゴ呼び自動登録部は、乗継ぎ先のカゴ呼び登録部７ａに目的階（カゴ呼び不停止階）のカゴ呼び登録指令を送信する。そして、乗継ぎ先のカゴ４のカゴ呼び登録部７ａは、目的階のカゴ呼び登録指令に基づいて、乗継ぎ呼びによって登録された目的階へのカゴ呼びを自動登緑する。例えば、目的階カゴ呼び自動登録部は、図２の場合、乗継ぎ先のＢ号機のカゴ４が乗継ぎ階である３Ｆに到着した際に、当該乗継ぎ先のカゴ４においてカゴ呼び不停止階である目的階、ここでは４Ｆへのカゴ呼びを自動登録する。これにより、群管理制御装置１は、乗継ぎ階にて乗継ぎを行う利用者に対して、乗継ぎ先のカゴ４内で、再度、目的階へのカゴ呼び操作を行わせることなく、乗継ぎ先のカゴ４を目的階に自動で移動させることができる。この結果、この群管理制御装置１は、利用者に対して煩わしさを感じさせることを抑制することができると共に、円滑にカゴ呼び不停止階へのサービスを行うことができる。
【００７１】
以上で説明した群管理制御装置１によれば、エレベータ群２の複数のカゴ４の状態に応じて、当該複数のカゴ４から、エレベータ群２の乗場５からの乗場呼びに応答するカゴ４を割り当てる制御を実行する。群管理制御装置１は、カゴ４毎、階床毎に、停止不能なカゴ呼び不停止階を切り替える制御を実行可能である。群管理制御装置１は、カゴ呼び不停止階が設定されたカゴ４のカゴ呼び登録装置４ａの機能を、通常カゴ呼び登録機能から、乗継ぎ呼び登録機能に切り替える制御を実行可能である。群管理制御装置１は、カゴ呼び登録装置４ａの機能が乗継ぎ呼び登録機能である際に当該乗継ぎ呼び登録機能が作動中である旨を案内する制御を実行可能である。群管理制御装置１は、乗継ぎ呼びがなされた際に、当該乗継ぎ呼びがなされた乗継ぎ元のカゴ４に対して、同着、又は、遅れて到着可能である乗継ぎ先のカゴ４及び乗継ぎ階の組み合わせを選定する制御を実行可能である。そして、群管理制御装置１は、乗継ぎ元のカゴ４を当該乗継ぎ階へ向かわせ、当該乗継ぎ先のカゴ４を当該乗継ぎ階へ呼び寄せる制御とを実行可能である。したがって、群管理制御装置１は、カゴ呼び不停止階が切り替え可能である場合であっても、エレベータ群２を円滑に群管理して運行することができる。
【００７２】
［実施形態２］
図５は、実施形態２に係る群管理制御装置の概略構成を示すブロック図である。図６は、実施形態２に係る群管理制御装置が適用されるエレベータ群を表す模式図である。図７は、実施形態２に係る群管理制御装置における乗継ぎ運転制御の一例を説明するフローチャートである。実施形態２に係るエレベータ群管理制御装置は、乗継ぎ先のカゴが乗継ぎ元のカゴよりも先に乗継ぎ階に到着してしまった場合に対応するための制御を実行可能である点で実施形態１とは異なる。その他、上述した実施形態と共通する構成、作用、効果については、重複した説明はできるだけ省略する（以下で説明する実施形態でも同様である。）。
【００７３】
図５に示す本実施形態のエレベータ群管理制御装置としての群管理制御装置２０１は、群管理制御を行うものである。本実施形態の群管理制御装置２０１は、乗継ぎ元のカゴ４が乗継ぎ階で戸開開始するよりも先に、乗継ぎ選定処理実行部９ｃ、乗継ぎ選定処理再実行部９ｅによって選定された乗継ぎ先のカゴ４が当該乗継ぎ階で戸閉開始した際に、種々の制御を行う。
【００７４】
なお、図６は、Ａ号機の４Ｆ、Ｂ号機の６Ｆ、Ｃ号機の４Ｆがカゴ呼び不停止切替装置１０によってカゴ呼び不停止階１１に設定されており、Ａ、Ｃ号機の４Ｆ以外の階床と、Ｂ号機の６Ｆ以外の階床が停止可能階に設定されている状態を示している。ここでも、Ａ〜Ｃ号機の各号機にはカゴ呼び登録、及び、乗場呼びの割り当てがなく、無方向待機している状態を示しているものとする。
【００７５】
乗継ぎ選定処理実行部９ｃ、乗継ぎ選定処理再実行部９ｅは、上述したように、乗継ぎ呼びがなされた乗継ぎ元のカゴ４に対して、同着、又は、遅れて到着可能である乗継ぎ先のカゴ４及び乗継ぎ階の組み合わせを選定するようにしている。しかしながら、エレベータ群２は、例えば、乗継ぎ元のカゴ４の扉８の開放時間の延長等の外乱要因に起因して、乗継ぎ先のカゴ４が乗継ぎ元のカゴ４より先に乗継ぎ階に先着してしまう場合がある。群管理制御装置２０１は、このような場合に下記のような制御を行う。
【００７６】
すなわち、群管理制御装置２０１は、乗継ぎ元のカゴ４が乗継ぎ階で戸開開始するよりも先に、乗継ぎ先のカゴ４が当該乗継ぎ階で戸閉開始した際に、乗継ぎ先のカゴ４内に乗客がいる場合には、下記のような制御を実行可能である。すなわち、群管理制御装置２０１は、乗継ぎ先のカゴ４を出発させた後、当該乗継ぎ階は変更せず新たな乗継ぎ先のカゴ４を再選定する制御を実行可能である。一方、群管理制御装置２０１は、乗継ぎ元のカゴ４が乗継ぎ階で戸開開始するよりも先に、乗継ぎ先のカゴ４が当該乗継ぎ階で戸閉開始した際に、乗継ぎ先のカゴ４内に乗客がいない場合には、下記のような制御を実行可能である。すなわち、群管理制御装置２０１は、当該乗継ぎ階で当該乗継ぎ先のカゴ４を戸開待機させる制御を実行可能である。これにより、群管理制御装置２０１は、仮に、当初選定した乗継ぎ先のカゴ４が乗継ぎ元のカゴ４よりも先に乗継ぎ階に先着してしまった場合であっても、エレベータ群２を円滑に群管理して運行することができるようにしている。
【００７７】
具体的には、群管理制御装置２０１は、カゴ４内に乗客の有無を検出するための検出器として、各号機のカゴ４内に設けられる荷重検出器４ｄを含んで構成される。また、群管理制御装置２０１は、各単体制御部７に、それぞれ機能概念的に、カゴ呼び登録部７ａ、乗継ぎ呼び登録部７ｂ、登録機能切替案内出力部７ｃ、割当て受信部７ｄ、カゴ呼び不停止制御部７ｅ、エレベータ情報出力部７ｆ、乗継ぎ案内出力部７ｇ、乗場呼び登録部７ｈ、カゴ呼び不停止アンサーバック出力部７ｉに加えて、さらに、戸開閉制御部２０７ｊが設けられる。また、群管理制御装置２０１は、群管理制御部９に、機能概念的に、割当て制御部９ａ、登録機能切替制御部９ｂ、乗継ぎ選定処理実行部９ｃ、乗継ぎ階カゴ呼び自動登録部９ｄ、乗継ぎ選定処理再実行部９ｅに加えて、さらに、出発／待機制御部２０９ｆが設けられている。
【００７８】
荷重検出器４ｄは、各号機のカゴ４内のカゴ内荷重を検出することで、各カゴ４内の乗客の有無を検出する。
【００７９】
戸開閉制御部２０７ｊは、各号機の扉８の開閉を制御するものである。
【００８０】
出発／待機制御部２０９ｆは、乗継ぎ階に先着した乗継ぎ先のカゴ４の出発／待機を制御するものである。出発／待機制御部２０９ｆは、エレベータ情報出力部７ｆから送信される自号機情報信号を受信する。自号機情報信号は、自号機のカゴ４の現在位置、走行方向、荷重検出器４ｄが検出したカゴ内荷重（乗客の有無）等のエレベータ情報やカゴ呼び登録部７ａによって登録されたカゴ呼びの状況等を含む自号機情報に応じた信号である。また、出発／待機制御部２０９ｆは、乗継ぎ選定処理実行部９ｃ、乗継ぎ選定処理再実行部９ｅから送信される、選定した乗継ぎ階と最適な乗継ぎ先のカゴ４の情報を含む乗継ぎ先信号、乗継ぎ元のカゴ４の情報を含む乗継ぎ元信号を受信する。
【００８１】
出発／待機制御部２０９ｆは、受信した信号に基づいて下記の制御を行う。出発／待機制御部２０９ｆは、乗継ぎ元のカゴ４が、乗継ぎ選定処理実行部９ｃにより選定された乗継ぎ階で戸開開始するよりも先に、乗継ぎ選定処理実行部９ｃ等により選定された最適な乗継ぎ先のカゴ４が当該乗継ぎ階で戸閉開始した場合に下記の制御を行う。
【００８２】
すなわちこの場合、出発／待機制御部２０９ｆは、荷重検出器４ｄが検出しエレベータ情報出力部７ｆから送信されたカゴ内荷重の情報に基づいて乗継ぎ先のカゴ４に乗客がいると判定した場合、乗継ぎ先のカゴ４の戸開閉制御部２０７ｊへ戸閉指令を出力する。これにより、戸開閉制御部２０７ｊは、当該戸閉指令に基づいて、乗継ぎ階に先着している乗継ぎ先号機の扉８を閉鎖する。そして、出発／待機制御部２０９ｆは、当該乗継ぎ先のカゴ４を出発させると共に、乗継ぎ選定処理再実行部９ｅへ最適な乗継ぎ先号機の再選定指令を出力する。これにより、乗継ぎ選定処理再実行部９ｅは、乗継ぎ階は変更せず新たな乗継ぎ先のカゴ４を再選定する。
【００８３】
一方、出発／待機制御部２０９ｆは、荷重検出器４ｄが検出しエレベータ情報出力部７ｆから送信されたカゴ内荷重の情報に基づいて乗継ぎ先のカゴ４に乗客がいないと判定した場合、乗継ぎ先のカゴ４の戸開閉制御部２０７ｊへ戸開指令を出力する。これにより、戸開閉制御部２０７ｊは、当該戸開指令に基づいて、乗継ぎ階に先着している乗継ぎ先号機の扉８を開放したまま待機させ、乗継ぎ元のカゴ４の到着を待つ。
【００８４】
次に、図７のフローチャートを参照して群管理制御装置２０１による乗継ぎ運転制御の一例を説明する。以下では、図６に示す状態からＢ号機の６Ｆの乗継ぎ呼びが登録された場合を説明する。この場合、乗継ぎ選定処理実行部９ｃは、ステップＳ１０２にて、乗継ぎ階として５Ｆ、最適な乗継ぎ先号機としてＣ号機を選定する。なおここでも、図４の説明と重複する説明はできる限り省略する。
【００８５】
群管理制御装置２０１の出発／待機制御部２０９ｆは、ステップＳ１０９にて最適な乗継ぎ先号機（再選定がなされない場合、図６ではＣ号機）のカゴ４が乗継ぎ階（図６では５Ｆ）へ減速中であると判定した場合（ステップＳＴ１０９：Ｙｅｓ）、下記のような判定を行う。すなわち、出発／待機制御部２０９ｆは、乗継ぎ呼びが登録された乗継ぎ元号機（図６ではＢ号機）のカゴ４が乗継ぎ階（図６では５Ｆ）で戸開開始するよりも先に、最適な乗継ぎ先号機（図６ではＣ号機）のカゴ４が当該乗継ぎ階で戸閉開始したか否かを判定する（ステップＳＴ２１０）。
【００８６】
出発／待機制御部２０９ｆは、乗継ぎ元号機のカゴ４が乗継ぎ階で戸開開始するよりも先に、最適な乗継ぎ先号機のカゴ４が当該乗継ぎ階で戸閉開始したと判定した場合（ステップＳＴ２１０：Ｙｅｓ）、下記のように制御する。すなわち、出発／待機制御部２０９ｆは、荷重検出器４ｄが検出しエレベータ情報出力部７ｆから送信されたカゴ内荷重の情報に基づいて、その時点で最適な乗継ぎ先号機のカゴ４内に乗客がいるか否かを判定する（ステップＳＴ２１１）。
【００８７】
出発／待機制御部２０９ｆは、最適な乗継ぎ先号機のカゴ４内に乗客がいないと判定した場合（ステップＳＴ２１１：Ｎｏ）、乗継ぎ先のカゴ４の戸開閉制御部２０７ｊへ戸開指令を出力する。そして、戸開閉制御部２０７ｊは、乗継ぎ階にて乗継ぎ先号機の扉８を開放したまま待機させて（ステップＳ２１２）、現在の制御周期を終了し、次の制御周期に移行する。
【００８８】
出発／待機制御部２０９ｆは、ステップＳＴ２１１にて最適な乗継ぎ先号機のカゴ４内に乗客がいると判定した場合（ステップＳＴ２１１：Ｙｅｓ）、乗継ぎ先のカゴ４の戸開閉制御部２０７ｊへ戸閉指令を出力する。そして、出発／待機制御部２０９ｆは、戸開閉制御部２０７ｊによって乗継ぎ階に先着している乗継ぎ先号機の扉８を閉鎖させると共に当該乗継ぎ先のカゴ４を出発させる（ステップＳＴ２１３）。群管理制御装置２０１は、その後、処理をステップＳＴ１０８に移行させる。
【００８９】
出発／待機制御部２０９ｆは、乗継ぎ元号機のカゴ４が乗継ぎ階で戸開開始するよりも先に、最適な乗継ぎ先号機のカゴ４が当該乗継ぎ階で戸閉開始していないと判定した場合（ステップＳＴ２１０：Ｎｏ）、現在の制御周期を終了し、次の制御周期に移行する。
【００９０】
上記のように構成される群管理制御装置２０１は、例えば、乗継ぎ元のカゴ４の扉８の開放時間の延長等の外乱要因に起因して、当初選定した乗継ぎ先のカゴ４が乗継ぎ元のカゴ４よりも乗継ぎ階に先着してしまった場合であっても、適正に動作することができる。すなわち、群管理制御装置２０１は、当該乗継ぎ先のカゴ４に乗客がいない場合にはそのまま乗継ぎ階に待機させておくことで、乗継ぎ損ねが発生することを抑制することができ、円滑に利用者を目的階へサービスすることができる。一方、群管理制御装置２０１は、当初選定した乗継ぎ先のカゴ４が乗継ぎ元のカゴ４よりも乗継ぎ階に先着してしまった場合であって乗継ぎ先のカゴ４に乗客がいる場合には、当該乗継ぎ先のカゴ４を先に出発させる。その後、群管理制御装置２０１は、新たな乗継ぎ先のカゴ４を乗継ぎ階に呼び寄せることができる。この結果、群管理制御装置２０１は、当初の乗継ぎ先のカゴ４の乗客に煩わしさを感じさせることなく、乗継ぎ利用者に乗継ぎ損ねが発生することを抑制することができ、円滑に利用者を目的階へサービスすることができる。
【００９１】
以上で説明した群管理制御装置２０１は、カゴ呼び不停止階が切り替え可能である場合であっても、エレベータ群２を円滑に群管理して運行することができる。
【００９２】
さらに、以上で説明した群管理制御装置２０１によれば、乗継ぎ元のカゴ４が乗継ぎ階で戸開開始するよりも先に、乗継ぎ先のカゴ４が当該乗継ぎ階で戸閉開始した際に、下記のように制御する。群管理制御装置２０１は、乗継ぎ先のカゴ４内に乗客がいる場合には、乗継ぎ先のカゴ４を出発させた後、当該乗継ぎ階は変更せず新たな乗継ぎ先のカゴ４を再選定する制御を実行可能である。群管理制御装置２０１は、乗継ぎ先のカゴ４内に乗客がいない場合には、当該乗継ぎ階で前当該乗継ぎ先のカゴ４を戸開待機させる制御を実行可能である。したがって、群管理制御装置２０１は、例えば、当初選定した乗継ぎ先のカゴ４が乗継ぎ元のカゴ４よりも先に乗継ぎ階に先着してしまった場合であっても、エレベータ群２を円滑に群管理して運行することができる。
【００９３】
［実施形態３］
図８は、実施形態３に係る群管理制御装置の概略構成を示すブロック図である。図９は、実施形態３に係る群管理制御装置が適用されるエレベータ群を表す模式図である。図１０は、実施形態３に係る群管理制御装置における乗継ぎ運転制御の一例を説明するフローチャートである。実施形態３に係るエレベータ群管理制御装置は、所定の条件下で乗継ぎ先のカゴに既に割り当てられていた乗継ぎ階への停止割り当てを消去する制御を実行可能である点で実施形態１、２とは異なる。
【００９４】
図８に示す本実施形態のエレベータ群管理制御装置としての群管理制御装置３０１は、所定の条件下で乗継ぎ先のカゴ４に既に割り当てられていた乗継ぎ階への停止割り当てを消去する制御を実行可能である。
【００９５】
なお、図９は、Ａ号機の６Ｆ、Ｂ号機の６Ｆがカゴ呼び不停止切替装置１０によってカゴ呼び不停止階１１に設定されており、Ａ号機の６Ｆ以外の階床と、Ｂ号機の６Ｆ以外の階床、Ｃ号機の全ての階床が停止可能階に設定されている状態を示している。ここでも、Ａ〜Ｃ号機の各号機にはカゴ呼び登録、及び、乗場呼びの割り当てがなく、無方向待機している状態を示しているものとする。
【００９６】
本実施形態の群管理制御装置３０１は、乗継ぎ元のカゴ４が乗継ぎ階へ到着する前の停止階床で全戸閉した際に、当該乗継ぎ元のカゴ４内に乗客がいない場合に、乗継ぎ先のカゴ４に既に割り当てられていた当該乗継ぎ階への停止割り当てを消去する。
【００９７】
具体的には、群管理制御装置３０１は、カゴ４内に乗客の有無を検出するための検出器として、各号機のカゴ４内に設けられる上述と同様の荷重検出器４ｄを含んで構成される。また、群管理制御装置３０１は、群管理制御部９に、機能概念的に、割当て制御部９ａ、登録機能切替制御部９ｂ、乗継ぎ選定処理実行部９ｃ、乗継ぎ階カゴ呼び自動登録部９ｄ、乗継ぎ選定処理再実行部９ｅに加えて、さらに、乗継ぎ階停止割当て消去部３０９ｇが設けられている。
【００９８】
乗継ぎ階停止割当て消去部３０９ｇは、乗継ぎ選定処理実行部９ｃによる最適な乗継ぎ先のカゴ４及び乗継ぎ階の選定後、割当て制御部９ａによって乗継ぎ先のカゴ４に割当てられた乗継ぎ階への停止を、所定の条件下で消去するものである。
【００９９】
乗継ぎ階停止割当て消去部３０９ｇは、エレベータ情報出力部７ｆから送信される自号機情報信号を受信する。自号機情報信号は、自号機のカゴ４の現在位置、走行方向、荷重検出器４ｄが検出したカゴ内荷重（乗客の有無）等のエレベータ情報やカゴ呼び登録部７ａによって登録されたカゴ呼びの状況等を含む自号機情報に応じた信号である。また、乗継ぎ階停止割当て消去部３０９ｇは、乗継ぎ選定処理実行部９ｃ、乗継ぎ選定処理再実行部９ｅから送信される、選定した乗継ぎ階と最適な乗継ぎ先のカゴ４の情報を含む乗継ぎ先信号、乗継ぎ元のカゴ４の情報を含む乗継ぎ元信号を受信する。
【０１００】
乗継ぎ階停止割当て消去部３０９ｇは、受信した信号に基づいて、乗継ぎ呼びが登録された乗継ぎ元号機のカゴ４が乗継ぎ階へ到着する前の停止階床で全戸閉した際に当該乗継ぎ元のカゴ４内に乗客がいないか否かを判定する。乗継ぎ階停止割当て消去部３０９ｇは、乗継ぎ元のカゴ４内に乗客がいないと判定した場合、割当て制御部９ａに対して、乗継ぎ先のカゴ４に既に割り当てられていた当該乗継ぎ階への停止割り当てを消去する消去指令を出力する。すなわち、乗継ぎ階停止割当て消去部３０９ｇは、乗継ぎ呼びを登録した利用者も途中の停止階床で降車してしまったと推定できる場合、割当て制御部９ａに対して消去指令を出力する。なおこの場合、群管理制御装置３０１は、乗継ぎ元のカゴ４において乗継ぎ階カゴ呼び自動登録部９ｄによって自動で登録された乗継ぎ階へのカゴ呼びの登録も自動消去するようにしてもよい。乗継ぎ階停止割当て消去部３０９ｇは、乗継ぎ元のカゴ４内に乗客がいると判定した場合、乗継ぎ先のカゴ４に既に割り当てられていた当該乗継ぎ階への停止割り当てをそのまま維持する。
【０１０１】
次に、図１０のフローチャートを参照して群管理制御装置３０１による乗継ぎ運転制御の一例を説明する。以下では、図９に示す状態からＡ号機の６Ｆの乗継ぎ呼びが登録された場合を説明する。この場合、乗継ぎ選定処理実行部９ｃは、ステップＳ１０２にて、乗継ぎ階として５Ｆ、最適な乗継ぎ先号機としてＣ号機を選定する。なおここでも、図４の説明と重複する説明はできる限り省略する。
【０１０２】
群管理制御装置３０１の乗継ぎ階停止割当て消去部３０９ｇは、ステップＳ１０５の後、乗継ぎ呼びが登録された乗継ぎ元号機のカゴ４が乗継ぎ階へ到着する前の停止階床で全戸閉したか否かを判定する（ステップＳ３１０）。
【０１０３】
乗継ぎ階停止割当て消去部３０９ｇは、乗継ぎ呼びが登録された乗継ぎ元号機のカゴ４が乗継ぎ階へ到着する前の停止階床で全戸閉したと判定した場合（ステップＳ３１０：Ｙｅｓ）、下記の判定を行う。すなわち、乗継ぎ階停止割当て消去部３０９ｇは、荷重検出器４ｄが検出しエレベータ情報出力部７ｆから送信されたカゴ内荷重の情報に基づいて、その時点で乗継ぎ呼びが登録された乗継ぎ元号機のカゴ４内に乗客がいるか否かを判定する（ステップＳＴ３１１）。
【０１０４】
乗継ぎ階停止割当て消去部３０９ｇは、乗継ぎ呼びが登録された乗継ぎ元号機のカゴ４内に乗客がいないと判定した場合（ステップＳ３１１：Ｎｏ）、下記のように制御する。すなわち、乗継ぎ階停止割当て消去部３０９ｇは、割当て制御部９ａに対して、最適な乗継ぎ先号機のカゴ４に既に割り当てられていた当該乗継ぎ階への停止割り当てを消去し（ステップＳ３１２）、現在の制御周期を終了し、次の制御周期に移行する。
【０１０５】
群管理制御装置３０１は、ステップＳ３１０にて、乗継ぎ呼びが登録された乗継ぎ元号機のカゴ４が乗継ぎ階へ到着する前の停止階床で全戸閉していないと判定した場合（ステップＳ３１０：Ｎｏ）、処理をステップＳ１０６に移行させる。また、群管理制御装置３０１は、ステップＳＴ３１１にて、乗継ぎ呼びが登録された乗継ぎ元号機のカゴ４内に乗客がいると判定した場合（ステップＳ３１１：Ｙｅｓ）、処理をステップＳ１０６に移行させる。
【０１０６】
上記のように構成される群管理制御装置３０１は、例えば、乗継ぎ元号機のカゴ４が乗継ぎ階に到着する前の停止階床で当該乗継ぎ元のカゴ４の乗客がいなくなり、乗継ぎ運転を行う必要がなくなった場合に、下記のように動作することができる。すなわち、群管理制御装置３０１は、最適な乗継ぎ先号機のカゴ４の乗継ぎ階への無駄な停止を抑制することができるので、群管理制御内全体の輸送効率をさらに向上することができる。
【０１０７】
なお、群管理制御装置３０１の乗継ぎ階停止割当て消去部３０９ｇは、乗継ぎ元のカゴ４でなされた乗継ぎ呼びがキャンセルされた場合にも、上記と同様に乗継ぎ先のカゴ４に既に割り当てられていた乗継ぎ階への停止割り当てを消去するようにしてもよい。この場合、群管理制御装置３０１は、乗継ぎ元のカゴ４でなされた乗継ぎ呼びのキャンセル操作として、下記のような操作がなされた場合に、当該乗継ぎ呼びをキャンセルし、乗継ぎ先のカゴ４に既に割り当てられていた乗継ぎ階への停止割り当てを消去するようにしてもよい。すなわち、群管理制御装置３０１は、例えば、利用者によって乗継ぎ元のカゴ４のカゴ呼び登録装置４ａにおいて、当該乗継ぎ呼びに対応するボタン／タッチパネルを所定時間内に複数回押下する操作がなされた場合に、当該乗継ぎ呼びをキャンセルしてもよい。
【０１０８】
以上で説明した群管理制御装置３０１は、カゴ呼び不停止階が切り替え可能である場合であっても、エレベータ群２を円滑に群管理して運行することができる。
【０１０９】
さらに、以上で説明した群管理制御装置３０１によれば、乗継ぎ元のカゴ４が乗継ぎ階へ到着する前の停止階床で全戸閉した際に、当該乗継ぎ元のカゴ４内に乗客がいない場合、又は、乗継ぎ呼びがキャンセルされた場合に、下記の制御を実行可能である。すなわち、群管理制御装置３０１は、乗継ぎ先のカゴ４に既に割り当てられていた当該乗継ぎ階への停止割り当てを消去する制御を実行可能である。したがって、群管理制御装置３０１は、例えば、乗継ぎ呼びをした利用者が途中の停止階床で降車したり、乗継ぎ呼び自体がキャンセルされたりしたような場合であっても、エレベータ群２を円滑に群管理して運行することができる。
【０１１０】
［実施形態４］
図１１は、実施形態４に係る群管理制御装置の概略構成を示すブロック図である。図１２は、実施形態４に係る群管理制御装置が適用されるエレベータ群を表す模式図である。図１３は、実施形態４に係る群管理制御装置における低混雑度エレベータ選出処理の一例を説明するフローチャートである。図１４は、実施形態４に係る群管理制御装置における乗継ぎ運転制御の一例を説明するフローチャートである。実施形態４に係るエレベータ群管理制御装置は、低混雑度エレベータ選出処理を実行可能である点で実施形態１、２、３とは異なる。
【０１１１】
図１１に示す本実施形態のエレベータ群管理制御装置としての群管理制御装置４０１は、乗継ぎ呼びがなされた際に、カゴ呼び不停止階に停止可能なカゴ４の混雑度に基づいて乗継ぎ先のカゴ４を選定する制御を実行可能である。
【０１１２】
なお、図１２は、Ａ号機の４Ｆ〜６Ｆ、Ｂ号機の４Ｆ〜６Ｆ、Ｃ号機の２Ｆがカゴ呼び不停止切替装置１０によってカゴ呼び不停止階１１に設定されている状態を示している。そして、図１２は、Ａ号機、Ｂ号機の４Ｆ〜６Ｆ以外の階床と、Ｃ号機の２Ｆ以外の階床が停止可能階に設定されている状態を示している。また、図１２は、Ａ号機のカゴ４においてカゴ内荷重が予め設定される積載可能荷重の２０％でかつ１Ｆの通常カゴ呼び登録がある状態を示している。また、図１２は、Ｂ号機のカゴ４においてカゴ内荷重が積載可能荷重の９０％で１Ｆの通常カゴ呼び登録がある状態を示している。また、図１２は、Ｃ号機のカゴ４においてカゴ内荷重が積載可能荷重の２０％で無方向待機している状態を示している。ここでは、Ａ〜Ｃ号機の積載可能荷重は、全号機等しいものとする。
【０１１３】
群管理制御装置４０１は、典型的には、乗継ぎ呼びがなされた際に、カゴ呼び不停止階に停止可能なカゴ４のうち混雑度が所定よりも低いカゴ４を選出する制御を実行可能である。ここでは、群管理制御装置４０１は、例えば、カゴ内荷重に基づいて、カゴ４の混雑度を推定するものとして説明する。群管理制御装置４０１は、カゴ内荷重が大きいほどカゴ４の混雑度が相対的に高いものと推定し、当該カゴ内荷重が小さいほどカゴ４の混雑度が相対的に低いものと推定する。この場合、上記混雑度が所定より低いカゴ４は、典型的には、当該カゴ４のカゴ内荷重と、乗継ぎ元のカゴ４のカゴ内荷重との和が積載可能荷重未満であるカゴ４、すなわち、カゴ内荷重の和が積載可能荷重の１００％未満のカゴ４である。一方、上記混雑度が所定より高いカゴ４は、典型的には、当該カゴ４のカゴ内荷重と、乗継ぎ元のカゴ４のカゴ内荷重との和が積載可能荷重を超えてしまうカゴ４、すなわち、カゴ内荷重の和が積載可能荷重の１００％を超えるカゴ４である。典型的には、群管理制御装置４０１は、混雑度が相対的に低いカゴ４を、乗継ぎ先号機のカゴ４として選出する。
【０１１４】
具体的には、群管理制御装置４０１は、カゴ４内の混雑度を検出するための検出器として、各号機のカゴ４内に設けられる上述と同様の荷重検出器４ｄを含んで構成される。また、群管理制御装置４０１は、群管理制御部９に、機能概念的に、割当て制御部９ａ、登録機能切替制御部９ｂ、乗継ぎ選定処理実行部９ｃ、乗継ぎ階カゴ呼び自動登録部９ｄ、乗継ぎ選定処理再実行部９ｅに加えて、さらに、低混雑度エレベータ選出部４０９ｈが設けられている。
【０１１５】
低混雑度エレベータ選出部４０９ｈは、乗継ぎ元のカゴ４にて乗継ぎ呼び登録部７ｂにより乗継ぎ呼びが登録されてから、乗継ぎ選定処理実行部９ｃにより最適な乗継ぎ先号機のカゴ４を選定する前に、下記のような検索を行うものである。すなわち、低混雑度エレベータ選出部４０９ｈは、カゴ呼び不停止階にサービス可能な各号機のカゴ４内の混雑度に基づき、確実に乗継ぎ客が乗れる程度の混雑度の当該カゴ呼び不停止階にサービス可能な号機が存在するか検索を行う。そして、低混雑度エレベータ選出部４０９ｈは、検索の結果、確実に乗継ぎ客が乗れる程度の混雑度の号機が存在する場合は、当該号機を、最適な乗継ぎ先号機として選出する。一方、低混雑度エレベータ選出部４０９ｈは、検索の結果、確実に乗継ぎ客が乗れる程度の混雑度の号機が存在しない場合は、当該カゴ呼び不停止階にサービス可能な号機の中からカゴ内の混雑度が最小の号機を選出する。
【０１１６】
より詳細には、低混雑度エレベータ選出部４０９ｈは、乗継ぎ選定処理実行部９ｃ、乗継ぎ選定処理再実行部９ｅによって最適な乗継ぎ先号機が選定される際、下記のような信号を受信する。すなわち、低混雑度エレベータ選出部４０９ｈは、乗継ぎ選定処理実行部９ｃ、乗継ぎ選定処理再実行部９ｅから送信される、最適な乗継ぎ先の候補となる号機のカゴ４の情報を含む乗継ぎ先信号、乗継ぎ元のカゴ４の情報を含む乗継ぎ元信号を受信する。最適な乗継ぎ先の候補となる号機は、典型的には、カゴ呼び不停止階にサービス可能な号機である。
【０１１７】
そして、低混雑度エレベータ選出部４０９ｈは、受信した信号に基づいて、乗継ぎ元号機のカゴ４と乗継ぎ先号機候補のカゴ４とのカゴ内荷重情報に基づき、最適な乗継ぎ先号機候補の中から、乗継ぎ元のカゴ４からの乗継ぎ客が確実に乗れる混雑度の号機を検索する。低混雑度エレベータ選出部４０９ｈは、例えば、乗継ぎ元のカゴ４のカゴ内荷重を加算しても、カゴ内荷重が積載可能荷重の１００％を超えない号機を、乗継ぎ客が確実に乗れる混雑度の号機として検索する。
【０１１８】
低混雑度エレベータ選出部４０９ｈは、検索の結果、最適な乗継ぎ先号機候補の中に、乗継ぎ元のカゴ４の乗継ぎ客が確実に乗れる混雑度の号機が存在する場合は、その（それらの）号機を選出する。そして、低混雑度エレベータ選出部４０９ｈは、その（それらの）号機情報を乗継ぎ選定処理実行部９ｃ、あるいは、乗継ぎ選定処理再実行部９ｅに送信する。また、低混雑度エレベータ選出部４０９ｈは、検索の結果、最適な乗継ぎ先号機候補の中に、乗継ぎ客が確実に乗れる混雑度の号機が存在しない場合は、最適な乗継ぎ先号機候補の中から、カゴ内混雑度（ここでは、カゴ内荷重）が最小の号機を選出する。そして、低混雑度エレベータ選出部４０９ｈは、その号機情報を乗継ぎ選定処理実行部９ｃ、あるいは、乗継ぎ選定処理再実行部９ｅに送信する。
【０１１９】
乗継ぎ選定処理実行部９ｃ、乗継ぎ選定処理再実行部９ｅは、低混雑度エレベータ選出部４０９ｈにおいて選出された最適な乗継ぎ先号機候補の中から、上述の実施形態と同様に最適な乗継ぎ先号機を選定する。つまり、低混雑度エレベータ選出部４０９ｈは、言い換えれば、乗継ぎ選定処理実行部９ｃ、乗継ぎ選定処理再実行部９ｅにおいて最適な乗継ぎ先号機を選定する際、乗継ぎ客が確実に乗れる混雑度の号機以外の号機を除外するためのフィルタとして機能する。すなわち、低混雑度エレベータ選出部４０９ｈは、上記混雑度が所定より高い号機のカゴ４を除外するためのフィルタとして機能する。
【０１２０】
次に、図１３のフローチャートを参照して群管理制御装置４０１による低混雑度エレベータ選出処理の一例を説明する。
【０１２１】
群管理制御装置４０１の低混雑度エレベータ選出部４０９ｈは、まず、乗継ぎ選定処理実行部９ｃ、もしくは、乗継ぎ選定処理再実行部９ｅから送られる乗継ぎ元号機と最適な乗継ぎ先号機候補とのカゴ内荷重情報に基づき、下記の処理を行う。すなわち、低混雑度エレベータ選出部４０９ｈは、最適な乗継ぎ先号機候補の中から、乗継ぎ元号機からの乗継ぎ客が確実に乗れる混雑度の号機を検索する（ステップＳ４０１）。低混雑度エレベータ選出部４０９ｈは、例えば、乗継ぎ元号機からの乗継ぎ客が確実に乗れる混雑度の号機として、乗継ぎ元号機のカゴ内荷重を足しても、カゴ内荷重が積載可能荷重の１００％を超えない号機を検索する。
【０１２２】
次に、低混雑度エレベータ選出部４０９ｈは、検索の結果、最適な乗継ぎ先号機候補の中に、乗継ぎ客が確実に乗れる混雑度の号機が存在するか否かを判定する（ステップＳ４０２）。
【０１２３】
低混雑度エレベータ選出部４０９ｈは、最適な乗継ぎ先号機候補の中に、乗継ぎ客が確実に乗れる混雑度の号機が存在すると判定した場合（ステップＳ４０２：Ｙｅｓ）、その号機を選出し（ステップＳ４０３）、この低混雑度エレベータ選出処理を終了する。
【０１２４】
低混雑度エレベータ選出部４０９ｈは、最適な乗継ぎ先号機候補の中に、乗継ぎ客が確実に乗れる混雑度の号機が存在しないと判定した場合（ステップＳ４０２：Ｎｏ）、下記のような処理を行う。すなわち、低混雑度エレベータ選出部４０９ｈは、最適な乗継ぎ先号機候補の中から、カゴ内混雑度（ここでは、カゴ内荷重）が最小の号機を選出し（ステップＳ４０４）、この低混雑度エレベータ選出処理を終了する。
【０１２５】
次に、図１４のフローチャートを参照して群管理制御装置４０１による乗継ぎ運転制御の一例を説明する。以下では、図１２に示す状態からＣ号機の２Ｆの乗継ぎ呼びが登録された場合を説明する。ここでは、Ｃ号機のカゴ内荷重は、積載可能荷重の２０％となっている。なおここでも、図４の説明と重複する説明はできる限り省略する。
【０１２６】
群管理制御装置４０１の低混雑度エレベータ選出部４０９ｈは、ステップＳ１０１にて、乗継ぎ呼びが登録されたと判定された場合（ステップＳ１０１：Ｙｅｓ）、図１３で説明した低混雑度エレベータ選出処理を行う（ステップＳ４１０）。
【０１２７】
本実施形態の場合、前述の通り、乗継ぎ客が確実に乗れる混雑度の号機の定義を、乗継ぎ元号機のカゴ内荷重を足しても、カゴ内荷重が積載可能荷重の１００％を超えない号機としている。また、本実施形態の場合、図１２に示す状態から、Ｃ号機の２Ｆの乗継ぎ呼びが登録されたものとしている。ここでは、乗継ぎ先号機候補（図１２ではＡ、Ｂ号機）のうち、カゴ内荷重が積載可能荷重の９０％となっているＢ号機は、乗継ぎ元号機（Ｃ号機）のカゴ内荷重（積載可能荷重の２０％）を足すと、カゴ内荷重が積載可能荷重の１００％を超えてしまう。このため、Ｂ号機は、乗継ぎ客が確実に乗れる混雑度の号機とはみなされず、低混雑度エレベータ選出部４０９ｈは、カゴ内荷重が積載可能荷重の２０％となっているＡ号機を乗継ぎ客が確実に乗れる混雑度の号機として選出する。
【０１２８】
そして、乗継ぎ選定処理実行部９ｃは、乗継ぎ客が確実に乗れる混雑度の号機（Ａ号機）が選出された後、ステップＳ１０２にて、下記のような処理を行う。すなわち、乗継ぎ選定処理実行部９ｃは、乗継ぎ客が確実に乗れる混雑度の号機の中から、上述と同様に、乗継ぎ階、及び、最適な乗継ぎ先号機を選択し（ステップＳ１０２）、処理をステップＳ１０３に移行させる。本実施形態の場合、乗継ぎ選定処理実行部９ｃは、ステップＳ１０２にて、乗継ぎ階として３Ｆ、最適な乗継ぎ先号機としてＡ号機を選定する。
【０１２９】
また、低混雑度エレベータ選出部４０９ｈは、ステップＳ１０６にてＹｅｓと判定された場合、上記と同様に、図１３で説明した低混雑度エレベータ選出処理を行い（ステップＳ４２１）、処理をステップＳＴ１０８に移行させる。同様に、低混雑度エレベータ選出部４０９ｈは、ステップＳ１０７にてＹｅｓと判定された場合、上記と同様に、図１３で説明した低混雑度エレベータ選出処理を行い（ステップＳ４２１）、処理をステップＳＴ１０８に移行させる。
【０１３０】
上記のように構成される群管理制御装置４０１は、例えば、最適な乗継ぎ先号機の選定時に、最適な乗継ぎ先号機候補の中から、乗継ぎ元号機からの乗継ぎ客が確実に乗れる号機、もしくは、最小混雑度の号機を予め選出する。この結果、群管理制御装置４０１は、乗継ぎ客が最適な乗継ぎ先号機のカゴ４に乗車できる確率を高めることができ、乗継ぎ損ねが発生することを抑制することができる。
【０１３１】
なお、以上の説明では、群管理制御装置４０１は、荷重検出器４ｄが検出するカゴ内荷重に基づいて、カゴ４の混雑度を推定するものとして説明したが、これに限らず、例えば、カゴ４内のカメラの画像等に基づいてカゴ４の混雑度を推定するようにしてもよい。
【０１３２】
以上で説明した群管理制御装置４０１は、カゴ呼び不停止階が切り替え可能である場合であっても、エレベータ群２を円滑に群管理して運行することができる。
【０１３３】
さらに、以上で説明した群管理制御装置４０１によれば、乗継ぎ呼びがなされた際に、カゴ呼び不停止階に停止可能なカゴ４の混雑度に基づいて乗継ぎ先のカゴ４を選定する制御を実行可能である。したがって、群管理制御装置４０１は、例えば、乗継ぎ先のカゴ４を選定する際に、乗継ぎ客が乗継げる可能性が高いカゴ４を最適な乗継ぎ先のカゴ４として選定することができるので、エレベータ群２をより円滑に群管理して運行することができる。
【０１３４】
以上で説明した実施形態、変形例に係るエレベータ群管理制御装置によれば、カゴ呼び不停止階を切り替え可能な場合であっても、エレベータ群を円滑に群管理して運行することができる。
【０１３５】
本発明のいくつかの実施形態を説明したが、これらの実施形態は、例として提示したものであり、発明の範囲を限定することは意図していない。これらの実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１３６】
１、２０１、３０１、４０１    群管理制御装置（エレベータ群管理制御装置）
２    エレベータ群
３    エレベータ
４    カゴ
４ａ    カゴ呼び登録装置
４ｄ    荷重検出器
６    乗場呼び登録装置
７    単体制御部
７ａ    カゴ呼び登録部
７ｂ    乗継ぎ呼び登録部
７ｃ    登録機能切替案内出力部
７ｄ    割当て受信部
７ｅ    カゴ呼び不停止制御部
７ｆ    エレベータ情報出力部
７ｇ    乗継ぎ案内出力部
７ｈ    乗場呼び登録部
７ｉ    カゴ呼び不停止アンサーバック出力部
８    扉
９    群管理制御部
９ａ    割当て制御部
９ｂ    登録機能切替制御部
９ｃ    乗継ぎ選定処理実行部
９ｄ    乗継ぎ階カゴ呼び自動登録部
９ｅ    乗継ぎ選定処理再実行部
１０    カゴ呼び不停止切替装置
１１    カゴ呼び不停止階
２０７ｊ    戸開閉制御部
２０９ｆ    出発／待機制御部
３０９ｇ    乗継ぎ階停止割当て消去部
４０９ｈ    低混雑度エレベータ選出部
【図１】
2014172695.tif 000003
【図２】
2014172695.tif 000004
【図３】
2014172695.tif 000005
【図４】
2014172695.tif 000006
【図５】
2014172695.tif 000007
【図６】
2014172695.tif 000008
【図７】
2014172695.tif 000009
【図８】
2014172695.tif 000010
【図９】
2014172695.tif 000011
【図１０】
2014172695.tif 000012
【図１１】
2014172695.tif 000013
【図１２】
2014172695.tif 000014
【図１３】
2014172695.tif 000015
【図１４】
2014172695.tif 000016
【手続補正書】
【提出日】平成26年6月9日(2014.6.9)
【手続補正１】
【補正対象書類名】特許請求の範囲
【補正対象項目名】請求項１
【補正方法】変更
【補正の内容】
【請求項１】
エレベータ群の複数のカゴの状態に応じて、当該複数のカゴから、前記エレベータ群の乗場からの乗場呼びに応答するカゴを割り当てる制御を実行するエレベータ群管理制御装置であって、
カゴ毎、階床毎に、停止不能なカゴ呼び不停止階を切り替える制御と、
前記カゴ呼び不停止階が設定されたカゴのカゴ呼び登録装置の機能を、全ての階床をそれぞれ目的階とするカゴ呼びを登録可能とする通常カゴ呼び登録機能から、前記カゴ呼び不停止階を目的階とし当該カゴ呼び不停止階が設定された乗継ぎ元のカゴを乗継ぎ階へ向かわせると共に当該カゴ呼び不停止階に停止可能な乗継ぎ先のカゴを前記乗継ぎ階へ呼び寄せる乗継ぎ呼びを登録可能とする乗継ぎ呼び登録機能に切り替えると共に前記カゴ呼び不停止階床が存在しない場合、前記カゴのカゴ呼び登録装置の機能を前記通常カゴ呼び登録機能とする制御と、
前記カゴ呼び登録装置の機能が前記乗継ぎ呼び登録機能である際に当該乗継ぎ呼び登録機能が作動中である旨を案内する制御と、
前記乗継ぎ呼びがなされた際に、当該乗継ぎ呼びがなされた前記乗継ぎ元のカゴに対して、同着、又は、遅れて到着可能である前記乗継ぎ先のカゴ及び前記乗継ぎ階の組み合わせを選定し、前記乗継ぎ元のカゴを当該乗継ぎ階へ向かわせ、当該乗継ぎ先のカゴを当該乗継ぎ階へ呼び寄せる制御とを実行可能であることを特徴とする、
エレベータ群管理制御装置。
【手続補正２】
【補正対象書類名】明細書
【補正対象項目名】０００５
【補正方法】変更
【補正の内容】
【０００５】
実施形態のエレベータ群管理制御装置は、エレベータ群の複数のカゴの状態に応じて、当該複数のカゴから、前記エレベータ群の乗場からの乗場呼びに応答するカゴを割り当てる制御を実行する。エレベータ群管理制御装置は、カゴ毎、階床毎に、停止不能なカゴ呼び不停止階を切り替える制御を実行可能である。エレベータ群管理制御装置は、前記カゴ呼び不停止階が設定されたカゴのカゴ呼び登録装置の機能を、通常カゴ呼び登録機能から乗継ぎ呼び登録機能に切り替えると共に前記カゴ呼び不停止階床が存在しない場合、前記カゴのカゴ呼び登録装置の機能を前記通常カゴ呼び登録機能とする制御を実行可能である。通常カゴ呼び登録機能は、全ての階床をそれぞれ目的階とするカゴ呼びを登録可能とする。乗継ぎ呼び登録機能は、前記カゴ呼び不停止階を目的階とし当該カゴ呼び不停止階が設定された乗継ぎ元のカゴを乗継ぎ階へ向かわせると共に当該カゴ呼び不停止階に停止可能な乗継ぎ先のカゴを前記乗継ぎ階へ呼び寄せる乗継ぎ呼びを登録可能とする。エレベータ群管理制御装置は、前記カゴ呼び登録装置の機能が前記乗継ぎ呼び登録機能である際に当該乗継ぎ呼び登録機能が作動中である旨を案内する制御を実行可能である。エレベータ群管理制御装置は、前記乗継ぎ呼びがなされた際に、当該乗継ぎ呼びがなされた前記乗継ぎ元のカゴに対して、同着、又は、遅れて到着可能である前記乗継ぎ先のカゴ及び前記乗継ぎ階の組み合わせを選定する制御を実行可能である。エレベータ群管理制御装置は、前記乗継ぎ元のカゴを当該乗継ぎ階へ向かわせ、当該乗継ぎ先のカゴを当該乗継ぎ階へ呼び寄せる制御を実行可能である。